(57)【要約】【課題】セルにおける干渉を管理および／または改善するためのシステムおよび方法を提供する。【解決手段】部分帯域オールモーストブランクサブフレーム（ＰＢ−ＡＢＳ）サブフレーム、および／または空間的オールモーストブランクサブフレーム（ＳＡＢＳ）が、より小さいセルおよびより大きいセル（例えば、ピコセルまたはマクロセル）を有するネットワークにおける通信を調整するためにもたらされ、さらに／または使用されることが可能である。例えば、ＰＢ−ＡＢＳが、ピコセル動作もしくはピコセル伝送のために確保された領域および／もしくは特定のリソース（例えば、リソースブロック）、およびマクロセル動作もしくはマクロセル伝送に利用可能な領域もしくは他のリソース（例えば、ピコセル動作のために確保されたものではない）を定義するのに使用され得る次元（例えば、周波数）をもたらすことが可能である。【選択図】図３
2018011347.tif 000002
【特許請求の範囲】
【請求項１】
異なるセル間の干渉を管理するための方法であって、
より小さいセル動作のために確保された領域と、より大きいセル動作に利用可能な領域とを備えるサブフレームを受信するステップであり、前記より小さいセル動作のために確保された前記領域は部分帯域オールモーストブランクサブフレーム（ＰＢ−ＡＢＳ）を備え、前記より大きいセル動作に利用可能な前記領域は物理ダウンリンク共有チャネル（ＰＤＳＣＨ）領域を備え、前記ＰＢ−ＡＢＳは前記ＰＤＳＣＨの一部である、ステップと、
前記より小さいセル動作のために確保された前記ＰＢ−ＡＢＳの前記領域の１つ以上のリソースブロックの割り当ての指示を受信するステップと、
前記指示に基づいて前記サブフレームを処理するステップであり、前記指示から前記より小さいセル動作のために割り当てられていると決定された前記ＰＢ−ＡＢＳの前記領域の前記１つ以上のリソースブロックにおいて情報または信号がより小さいセルへ送信されるように構成され、並びに、前記ＰＤＳＣＨの残りの部分および前記指示から前記より小さいセル動作のために割り当てられていると決定されない前記ＰＢ−ＡＢＳの前記領域の１つ以上のリソースブロックにおいて情報または信号がより大きいセルへ送信されるように構成されるようにする、ステップとを備えることを特徴とする方法。
【請求項２】
前記指示は、ビットマップを備え、前記ビットマップの各ビットは、前記リソースブロックのうちの少なくとも１つを表し、前記リソースブロックのうちの少なくとも１つは、前記ビットマップの中において、物理的リソースブロックのセット、仮想リソースブロックのセット、またはリソースブロック割り当てのうちの少なくとも１つによって定義されることを特徴とする請求項１に記載の方法。
【請求項３】
前記指示に基づいて前記サブフレームを処理するステップは、
前記指示に含められた前記割り当てに基づいて、前記より小さいセル動作のために確保された前記領域の前記ＰＢ−ＡＢＳにおいてより小さいセルユーザ機器（ＵＥ）のために確保された送信に関する前記１つ以上のリソースブロック、または１つ以上の領域パラメータを決定するステップと、
前記より小さいセル動作のために確保された前記領域の前記ＰＢ−ＡＢＳにおける前記決定されたリソースブロックのうちの１つ以上を使用して、または前記より小さいセル動作のために確保された前記領域の前記ＰＢ−ＡＢＳの前記決定された領域パラメータのうちの１つ以上と合致するように、１つ以上のより小さいセルＵＥに信号を送信するステップと、
前記より大きいセル動作に利用可能な前記領域の前記ＰＤＳＣＨの残りの部分で、および前記より小さいセルＵＥに対する送信のためものであると決定されていない前記より小さいセル動作のために確保された前記領域の前記ＰＢ−ＡＢＳにおける前記リソースブロックのうちの１つ以上を使用して、１つ以上のより大きいセルＵＥに信号を送信するステップとを備えることを特徴とする請求項１に記載の方法。
【請求項４】
前記より小さいセル動作のために確保された前記領域の前記ＰＢ−ＡＢＳにおける前記送信は、ミュートされたモードまたは低減された電力（ＲＰ）のモードの少なくとも１つであることを特徴とする請求項３に記載の方法。
【請求項５】
前記１つ以上のリソースブロックの前記割り当ての前記指示は、前記より小さいセル動作のために確保された前記領域の前記ＰＢ−ＡＢＳのための時間パターンもしくは時間領域、および周波数パターンもしくは周波数領域を含むことを特徴とする請求項３に記載の方法。
【請求項６】
前記リソースブロックのうちの１つ以上で、または前記決定された領域パラメータのうちの１つ以上と合致するように、前記より小さいセル動作のために確保された前記領域の前記ＰＢ−ＡＢＳの帯域に対して１つ以上の測定を行うステップをさらに備えることを特徴とする請求項３に記載の方法。
【請求項７】
より小さいセル動作のために確保された前記領域の前記ＰＢ−ＡＢＳのために割り当てられた前記１以上のリソースブロックは、前記ＰＢ−ＡＢＳに関連付けられた帯域内の事前定義された固定ポイントの周囲のいくつかのリソースブロックを含むことを特徴とする請求項１に記載の方法。
【請求項８】
より小さいセル動作のために確保された前記領域の前記ＰＢ−ＡＢＳのために割り当てられた前記１以上のリソースブロックは、周波数領域内の等間隔の物理リソースブロック、または物理リソースブロックペアの少なくとも１つを含むことを特徴とする請求項１に記載の方法。
【請求項９】
より小さいセル動作のために確保された前記領域の前記ＰＢ−ＡＢＳのために割り当てられた前記１以上のリソースブロックは、前記ＰＢ−ＡＢＳ内のリソースブロックグループ（ＲＢＧｓ）を含むことを特徴とする請求項１に記載の方法。
【請求項１０】
異なるセル間の干渉を管理するためのデバイスであって、
より小さいセル動作のために確保された領域と、より大きいセル動作に利用可能な領域とを備えるサブフレームを受信し、前記より小さいセル動作のために確保された前記領域は部分帯域オールモーストブランクサブフレーム（ＰＢ−ＡＢＳ）を備え、前記より大きいセル動作に利用可能な前記領域は物理ダウンリンク共有チャネル（ＰＤＳＣＨ）領域を備え、前記ＰＢ−ＡＢＳは前記ＰＤＳＣＨの一部であり、
前記より小さいセル動作のために確保された前記ＰＢ−ＡＢＳの前記領域の１つ以上のリソースブロックの割り当ての指示を受信し、
前記指示に基づいて前記サブフレームを処理し、前記指示から前記より小さいセル動作のために割り当てられていると決定された前記ＰＢ−ＡＢＳの前記領域の前記１つ以上のリソースブロックにおいて情報または信号がより小さいセルへ送信されるように構成され、並びに、前記ＰＤＳＣＨの残りの部分および前記指示から前記より小さいセル動作のために割り当てられていると決定されない前記ＰＢ−ＡＢＳの前記領域の１つ以上のリソースブロックにおいて情報または信号がより大きいセルへ送信されるように構成されるようにするよう少なくとも部分的に構成されたことを特徴とするデバイス。
【請求項１１】
前記指示は、ビットマップを備え、前記ビットマップの各ビットは、前記リソースブロックのうちの少なくとも１つを表し、前記リソースブロックのうちの少なくとも１つは、前記ビットマップの中において、物理的リソースブロックのセット、仮想リソースブロックのセット、またはリソースブロック割り当てのうちの少なくとも１つによって定義されることを特徴とする請求項１０に記載のデバイス。
【請求項１２】
前記指示に基づいて前記サブフレームを処理することは、前記デバイスが、少なくとも、
前記指示に含められた前記割り当てに基づいて、前記より小さいセル動作のために確保された前記領域の前記ＰＢ−ＡＢＳにおいてより小さいセルユーザ機器（ＵＥ）のために確保された送信に関する前記１つ以上のリソースブロック、または１つ以上の領域パラメータを決定し、
前記より小さいセル動作のために確保された前記領域の前記ＰＢ−ＡＢＳにおける前記決定されたリソースブロックのうちの１つ以上を使用して、または前記より小さいセル動作のために確保された前記領域の前記ＰＢ−ＡＢＳの前記決定された領域パラメータのうちの１つ以上と合致するように、１つ以上のより小さいセルＵＥに信号を送信し、
前記より大きいセル動作に利用可能な前記領域の前記ＰＤＳＣＨの残りの部分で、および前記より小さいセルＵＥに対する送信のためものであると決定されていない前記より小さいセル動作のために確保された前記領域の前記ＰＢ−ＡＢＳにおける前記リソースブロックのうちの１つ以上を使用して、１つ以上のより大きいセルＵＥに信号を送信する
よう構成されることを含む、ことを特徴とする請求項１０に記載のデバイス。
【請求項１３】
前記より小さいセル動作のために確保された前記領域の前記ＰＢ−ＡＢＳにおける前記送信は、ミュートされたモードまたは低減された電力（ＲＰ）のモードの少なくとも１つであることを特徴とする請求項１２に記載のデバイス。
【請求項１４】
前記１つ以上のリソースブロックの前記割り当ての前記指示は、前記より小さいセル動作のために確保された前記領域の前記ＰＢ−ＡＢＳのための時間パターンもしくは時間領域、および周波数パターンもしくは周波数領域を含むことを特徴とする請求項１２に記載のデバイス。
【請求項１５】
前記デバイスは、前記リソースブロックのうちの１つ以上で、または前記決定された領域パラメータのうちの１つ以上と合致するように、前記より小さいセル動作のために確保された前記領域の前記ＰＢ−ＡＢＳの帯域に対して１つ以上の測定を行うよう構成されたことを特徴とする請求項１２に記載のデバイス。
【請求項１６】
より小さいセル動作のために確保された前記領域の前記ＰＢ−ＡＢＳのために割り当てられた前記１以上のリソースブロックは、前記ＰＢ−ＡＢＳに関連付けられた帯域内の事前定義された固定ポイントの周囲のいくつかのリソースブロックを含むことを特徴とする請求項１０に記載のデバイス。
【請求項１７】
より小さいセル動作のために確保された前記領域の前記ＰＢ−ＡＢＳのために割り当てられた前記１以上のリソースブロックは、周波数領域内の等間隔の物理リソースブロック、または物理リソースブロックペアの少なくとも１つを含むことを特徴とする請求項１０に記載のデバイス。
【請求項１８】
より小さいセル動作のために確保された前記領域の前記ＰＢ−ＡＢＳのために割り当てられた前記１以上のリソースブロックは、前記ＰＢ−ＡＢＳ内のリソースブロックグループ（ＲＢＧｓ）を含むことを特徴とする請求項１０に記載のデバイス。
【発明の詳細な説明】
【技術分野】
【０００１】
本発明は、セル間の干渉を管理または改善することに関する。
【背景技術】
【０００２】
関連出願の相互参照
本出願は、参照により内容が本明細書に組み込まれている、２０１２年１月２７日に出願した米国仮特許出願第６１／５９１，６０５号明細書、および２０１２年５月３０日に出願した米国仮特許出願第６１／６５３，１７６号明細書の利益を主張するものである。
【０００３】
地球規模のモバイルデータトラフィックは、２００８年以来、毎年、増加してきており、ますます多くのユーザが、モバイルネットワークを使用するモバイルデバイスを購入する、または入手するにつれ、増加しつづけるものと予想されている。この成長に対応するのに、ネットワーク、およびそれらの事業者は、さらなるスペクトルを使用する必要がある可能性があり、さらに／または使用する可能性がある。しかし、スペクトルは、有限で、希少で、高価である。さらに、現在のマクロベースのネットワーク展開および／またはスモールセルネットワーク展開（例えば、ロングタームエボリューション（ＬＴＥ）展開またはＬＴＥ−アドバンスト（ＬＴＥ−Ａ）展開）は、不十分である可能性があり、非効率である可能性があり、さらに／または所望されるパフォーマンスをもたらさない可能性がある。例えば、マクロベースのネットワーク展開、および／またはスモールベースのネットワーク展開において、現行のオールモーストブランクサブフレーム（ＡＢＳ）技法が、マクロセルおよびピコセルの干渉のない動作のために時分割多重化（ＴＤＭ）フレームワークを作成するのに使用され得る。現行のＡＢＳ技法は、マクロセルおよびピコセルの平均セルスループットを向上させるが、そのようなＡＢＳ技法は、マクロＵＥの平均スループットを低下させる可能性がある（例えば、ピコセルのためにＡＢＳサブフレームにおけるマクロセル動作からリソースが奪われる可能性がある事例が存在し得る）。さらに、マクロベースのネットワーク展開および／またはスモールベースのネットワーク展開において、それらに関連するセルの干渉条件、バックホール、および／または動作が、展開費用、出費、容量、効率などを制御するように管理される必要があり得る。
【発明の概要】
【０００４】
セル（例えば、ピコセルを含む、より小さいセル、およびマクロセルを含む、より大きいセルなどの異なるセル）間の干渉を管理するため、および／または改善するためのシステムおよび方法が、提供され得る。例えば、部分帯域オールモーストブランクサブフレーム（ＰＢ−ＡＢＳ）サブフレームが、受信され、さらに／または特定されることが可能である（例えば、基地局、ＵＥ、および／またはセルによって）。ＰＢ−ＡＢＳは、より小さいセル動作のために確保された領域と、より大きいセル（例えば、マクロセル）の動作に利用可能な領域とを含み得る。ＰＢ−ＡＢＳサブフレーム内のリソースブロック（例えば、オールモーストリソースブロック）がどのように、より小さいセル動作、および／またはより大きいセル動作に割り当てられることが可能であるかの指示が、受信されることが可能である。実施形態において、この指示は、各ビットがＰＢ−ＡＢＳ領域に関連付けられたリソースブロックもしくはリソースブロックのセット、および／またはパラメータを表すことが可能なビットマップを含み得る。それに基づいて伝送が、より小さいセルＵＥ、および／またはより大きいセルＵＥに供給され得るように（例えば、信号が伝送され得る）示されたリソース割り当てに基づくＰＢ−ＡＢＳサブフレーム。
【０００５】
さらに、セル分割のためのシステム（例えば、基地局および／またはユーザ機器（ＵＥ））および／または方法が提供され得る（例えば、システムの干渉および他の特性を管理し、さらに／または改善するように）。例えば、基地局が、仰角、方位角、ビーム幅などの放射関連のパラメータ、および／または傾斜角、ビーム幅、無効化方向（ｎｕｌｌｉｎｇ  ｄｉｒｅｃｔｉｏｎ）、またはビーム送信電力などのさらなるパラメータを含む１または複数のパラメータに基づいて、セルを１または複数のサブセルに分割することが可能である。また、基地局は、分割されたセル、およびサブセルに関連付けられたセル特有の基準シンボルを生成して、基地局が、それらのセル特有の基準シンボルに基づいて、そのセルの関連付けられたサブセル内のＵＥと通信することができるようにする。さらに、基地局は、サブセルに関連付けられた１または複数のリソースを分割することが可能である（例えば、サブセルが、ビーム縁端におけるＵＥに関して、セルから分割された他のサブセルに干渉をもたらし得る場合に）。それらのリソースは、ビームを空白化すること（ｂｌａｎｋｉｎｇ）によって分割されることが可能である（例えば、ビームブランキング）。一実施形態において、ビームは、空間的オールモーストブランクサブフレーム（ｓｐａｔｉａｌ  ａｌｍｏｓｔ  ｂｌａｎｋ  ｓｕｂｆｒａｍｅ）などのサブフレームによって規定され得る特定の期間（例えば、ブランク期間）に関して特定の空間方向からビームを逸らすことによって空白化され得る。）
【図面の簡単な説明】
【０００６】
より詳細な理解は、添付の図面に関連して例として与えられる、詳細な説明から得ることができる。
【図１Ａ】開示される１または複数の実施形態が実施され得る例示的な通信システムを示す図である。
【図１Ｂ】図１Ａに示される通信システム内で使用され得る例示的なワイヤレス送信／受信ユニット（ＷＴＲＵ）を示すシステム図である。
【図１Ｃ】図１Ａに示される通信システム内で使用され得る例示的な無線アクセスネットワークおよび例示的なコアネットワークを示すシステム図である。
【図１Ｄ】図１Ａに示される通信システム内で使用され得る別の例示的な無線アクセスネットワークおよび例示的なコアネットワークを示すシステム図である。
【図１Ｅ】図１Ａに示される通信システム内で使用され得る別の例示的な無線アクセスネットワークおよび例示的なコアネットワークを示すシステム図である。
【図２】オールモーストブランクサブフレーム（ＡＢＳ）機構の例示的な動作を示す図である。
【図３】非マルチキャスト−ブロードキャスト単一周波数ネットワーク（非ＭＢＳＦＮ）構成における例示的な部分帯域（ＰＢ）ＡＢＳサブフレームを示す図である。
【図４】マルチキャスト−ブロードキャスト単一周波数ネットワーク（ＭＢＳＦＮ）構成における例示的なＰＢ−ＡＢＳサブフレームを示す図である。
【図５】物理セルＩＤ（ＰＣＩ）による例示的なＰＢ−ＡＢＳリソース割り当てを示す図である。
【図６】垂直ビーム形成によるセル分割の例示的な実施形態を示す図である。
【図７】水平ビーム形成によるセル分割の例示的な実施形態を示す図である。
【図８】垂直ビーム形成に関連付けられた一様でないサブセルトポロジの例示的な実施形態を示す図である。
【図９】一様でないセル分割の例示的な実施形態を示す図である。
【図１０】水平ビーム形成に関連付けられた一様なサブセル分割の例示的な実施形態を示す図である。
【図１１】垂直ビーム形成および水平ビーム形成によって分割され得るセルの例示的な実施形態を示す図である。
【図１２】ＵＥ固有のサブセル分割の例示的な実施形態を示す図である。
【図１３】セクタ化され得るピコセルなどのセルの例示的な実施形態を示す図である。
【図１４】異なるビームによってさらに分割され得るピコセルなどのセクタ化されたセルの例示的な実施形態を示す図である。
【図１５】ピコセルなどの垂直に分割されたセルの例示的な実施形態を示す図である。
【図１６】調整された傾斜制御の例示的な実施形態を示す図である。
【図１７】調整されたビーム幅制御の例示的な実施形態を示す図である。
【図１８】調整された無効化位置付けの例示的な実施形態を示す図である。
【図１９】ＳＡＢＳのアプリケーションの例示的な実施形態を示す図である。
【図２０】システムにおいて垂直ビーム形成を使用するＳＡＢＳの例示的な実施形態を示す図である。
【発明を実施するための形態】
【０００７】
次に、例示的な実施形態の詳細な説明を、様々な図を参照して述べる。この説明は、可能な実施例の詳細な例を与えるが、それらの詳細は、例示的であることが意図され、適用の範囲を限定するものではないことに留意されたい。
【０００８】
図１Ａは、開示される１または複数の実施形態が実施され得る例示的な通信システム１００の図を示す。通信システム１００は、音声、データ、ビデオ、メッセージング、ブロードキャストなどのコンテンツを複数のワイヤレスユーザに供給する複数のアクセスシステムであり得る。通信システム１００は、複数のワイヤレスユーザが、ワイヤレス帯域幅を含むシステムリソースの共有を介してそのようなコンテンツにアクセスすることを可能にすることができる。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）などの１または複数のチャネルアクセス方法を使用することが可能である。
【０００９】
図１Ａに示されるとおり、通信システム１００は、ワイヤレス送信／受信ユニット（ＷＴＲＵ）１０２ａ、１０２ｂ、１０２ｃ、および／または１０２ｄ（全体的に、またはひとまとめにしてＷＴＲＵ１０２と呼ばれ得る）、無線アクセスネットワーク（ＲＡＮ）１０３／１０４／１０５、コアネットワーク１０６／１０７／１０９、公衆交換電話網（ＰＳＴＮ）１０８、インターネット１１０、およびその他のネットワーク１１２を含むことが可能であり、ただし、開示される実施形態は、任意の数のＷＴＲＵ、基地局、ネットワーク、および／またはネットワーク要素を企図することが認識されよう。ＷＴＲＵ１０２ａ、１０２ｂ、１０２ｃ、および／または１０２ｄのそれぞれは、ワイヤレス環境において動作し、さらに／または通信するように構成された任意のタイプのデバイスであり得る。例として、ＷＴＲＵ１０２ａ、１０２ｂ、１０２ｃ、および／または１０２ｄは、ワイヤレス信号を送信するように、さらに／または受信するように構成されることが可能であり、さらにユーザ機器（ＵＥ）、移動局、固定加入者ユニットもしくはモバイル加入者ユニット、ポケットベル、セルラ電話機、携帯情報端末（ＰＤＡ）、スマートフォン、ラップトップ、ノートブック、パーソナルコンピュータ、ワイヤレスセンサ、家庭用電子機器などを含み得る。
【００１０】
また、通信システム１００は、基地局１１４ａおよび基地局１１４ｂを含むことも可能である。基地局１１４ａ、１１４ｂのそれぞれは、ＷＴＲＵ１０２ａ、１０２ｂ、１０２ｃ、および／または１０２ｄのうちの少なくとも１つとワイヤレスでインターフェースをとって、コアネットワーク１０６／１０７／１０９、インターネット１１０、および／またはネットワーク１１２などの１または複数の通信ネットワークに対するアクセスを円滑にするように構成された任意のタイプのデバイスであり得る。例として、基地局１１４ａおよび／または１１４ｂは、基地局トランシーバ（ＢＴＳ）、ノードＢ、ｅノードＢ、ホームノードＢ、ホームｅノードＢ、サイトコントローラ、アクセスポイント（ＡＰ）、ワイヤレスルータなどであり得る。基地局１１４ａ、１１４ｂはそれぞれ、単一の要素として示されるが、基地局１１４ａ、１１４ｂは、任意の数の互いに接続された基地局および／またはネットワーク要素を含み得ることが認識されよう。
【００１１】
基地局１１４ａは、他の基地局、ならびに／または基地局コントローラ（ＢＳＣ）、無線ネットワークコントローラ（ＲＮＣ）、中継ノードなどの他のネットワーク要素（図示せず）を含むことも可能なＲＡＮ１０３／１０４／１０５の一部であり得る。基地局１１４ａおよび／または基地局１１４ｂは、セル（図示せず）と呼ばれ得る特定の地理的区域内でワイヤレス信号を送信するように、さらに／または受信するように構成され得る。セルは、セルセクタにさらに分割され得る。例えば、基地局１１４ａに関連するセルが、３つのセクタに分割されることが可能である。このため、一実施形態において、基地局１１４ａは、３つの、すなわち、セルの各セクタにつき１つのトランシーバを含み得る。別の実施形態において、基地局１１４ａは、多入力多出力（ＭＩＭＯ）技術を使用することが可能であり、したがって、セルの各セクタにつき複数のトランシーバを利用することが可能である。
【００１２】
基地局１１４ａおよび／または１１４ｂは、任意の適切なワイヤレス通信リンク（例えば、無線周波数（ＲＦ）、マイクロ波、赤外線（ＩＲ）、紫外線（ＵＶ）、可視光など）であり得る無線インターフェース１１５／１１６／１１７を介してＷＴＲＵ１０２ａ、１０２ｂ、１０２ｃ、および／または１０２ｄのうちの１または複数と通信することが可能である。無線インターフェース１１５／１１６／１１７は、任意の適切な無線アクセス技術（ＲＡＴ）を使用して確立され得る。
【００１３】
より詳細には、前述したとおり、通信システム１００は、多元接続システムであることが可能であり、さらにＣＤＭＡ、ＴＤＭＡ、ＦＤＭＡ、ＯＦＤＭＡ、ＳＣ−ＦＤＭＡなどの１または複数のチャネルアクセススキームを使用することが可能である。例えば、ＲＡＮ１０３／１０４／１０５における基地局１１４ａ、ならびにＷＴＲＵ１０２ａ、１０２ｂ、および／または１０２ｃが、広帯域ＣＤＭＡ（ＷＣＤＭＡ（登録商標））を使用して無線インターフェース１１５／１１６／１１７を確立することが可能なユニバーサルモバイルテレコミュニケーションズシステム（ＵＭＴＳ）地上無線アクセス（ＵＴＲＡ）などの無線技術を実施することが可能である。ＷＣＤＭＡは、高速パケットアクセス（ＨＳＰＡ）および／または発展型ＨＳＰＡ（ＨＳＰＡ＋）などの通信プロトコルを含み得る。ＨＳＰＡは、高速ダウンリンクパケットアクセス（ＨＳＤＰＡ）および／または高速アップリンクパケットアクセス（ＨＳＵＰＡ）を含み得る。
【００１４】
別の実施形態において、基地局１１４ａ、ならびにＷＴＲＵ１０２ａ、１０２ｂ、および／または１０２ｃが、ロングタームエボリューション（ＬＴＥ）および／またはＬＴＥアドバンスト（ＬＴＥ−Ａ）を使用して無線インターフェース１１５／１１６／１１７を確立することが可能な発展型ＵＭＴＳ地上無線アクセス（Ｅ−ＵＴＲＡ）などの無線技術を実施することが可能である。
【００１５】
他の実施形態において、基地局１１４ａ、ならびにＷＴＲＵ１０２ａ、１０２ｂ、および／または１０２ｃが、ＩＥＥＥ８０２．１６（すなわち、ワールドワイドインターオペラビリティフォーマイクロウェイブアクセス（ＷｉＭＡＸ））、ＣＤＭＡ２０００、ＣＤＭＡ２０００  １Ｘ、ＣＤＭＡ２０００  ＥＶ−ＤＯ、暫定標準２０００（ＩＳ−２０００）、暫定標準９５（ＩＳ−９５）、暫定標準８５６（ＩＳ−８５６）、グローバルシステムフォーモバイルコミュニケーションズ（ＧＳＭ（登録商標））、エンハンストデータレートフォーＧＳＭエボリューション（ＥＤＧＥ）、ＧＳＭ  ＥＤＧＥ（ＧＥＲＡＮ）などの無線技術を実施することが可能である。
【００１６】
図１Ａの基地局１１４ｂは、例えば、ワイヤレスルータ、ホームノードＢ、ホームｅノードＢ、またはアクセスポイントであることが可能であり、さらに事業所、自宅、車両、キャンパスなどの局在化された区域内でワイヤレス接続を円滑にするための任意の適切なＲＡＴを利用することが可能である。一実施形態において、基地局１１４ｂおよびＷＴＲＵ１０２ｃ、１０２ｄが、ＩＥＥＥ８０２．１１などの無線技術を実施して、ワイヤレスローカルエリアネットワーク（ＷＬＡＮ）を確立することが可能である。別の一実施形態において、基地局１１４ｂおよびＷＴＲＵ１０２ｃ、１０２ｄが、ＩＥＥＥ８０２．１５などの無線技術を実施して、ワイヤレスパーソナルエリアネットワーク（ＷＰＡＮ）を確立することが可能である。さらに別の実施形態において、基地局１１４ｂおよびＷＴＲＵ１０２ｃ、１０２ｄが、セルラベースのＲＡＴ（例えば、ＷＣＤＭＡ、ＣＤＭＡ２０００、ＧＳＭ、ＬＴＥ、ＬＴＥ−Ａなど）を利用して、ピコセルまたはフェムトセルを確立することが可能である。図１Ａに示されるとおり、基地局１１４ｂは、インターネット１１０に対する直接接続を有することが可能である。このため、基地局１１４ｂは、コアネットワーク１０６／１０７／１０９を介してインターネット１１０にアクセスすることを要求されない可能性がある。
【００１７】
ＲＡＮ１０３／１０４／１０５は、ＷＴＲＵ１０２ａ、１０２ｂ、１０２ｃ、および／または１０２ｄのうちの１または複数に音声サービス、データサービス、アプリケーションサービス、および／またはボイスオーバーインターネットプロトコル（ＶｏＩＰ）サービスを提供するように構成された任意のタイプのネットワークであり得るコアネットワーク１０６／１０７／１０９と通信状態にあることが可能である。例えば、コアネットワーク１０６／１０７／１０９は、呼制御、料金請求サービス、モバイルロケーションベースのサービス、プリペイド通話、インターネット接続、ビデオ配信などを提供することが可能であり、さらに／またはユーザ認証などの高レベルのセキュリティ機能を実行することが可能である。図１Ａには示されないものの、ＲＡＮ１０３／１０４／１０５、および／またはコアネットワーク１０６／１０７／１０９は、ＲＡＮ１０３／１０４／１０５と同一のＲＡＴを使用する、または異なるＲＡＴを使用する他のＲＡＮと直接または間接の通信状態にあり得ることが認識されよう。例えば、Ｅ−ＵＴＲＡ無線技術を利用していることが可能なＲＡＮ１０３／１０４／１０５に接続されていることに加えて、コアネットワーク１０６／１０７／１０９は、ＧＳＭ無線技術を使用する別のＲＡＮ（図示せず）と通信状態にあることも可能である。
【００１８】
コアネットワーク１０６／１０７／１０９は、ＷＴＲＵ１０２ａ、１０２ｂ、１０２ｃ、および／または１０２ｄがＰＳＴＮ１０８、インターネット１１０、および／または他のネットワーク１１２にアクセスするゲートウェイの役割をすることも可能である。ＰＳＴＮ１０８は、普通の従来の電話サービス（ＰＯＴＳ）をもたらす回線交換電話ネットワークを含み得る。インターネット１１０は、ＴＣＰ／ＩＰインターネットプロトコルスイートにおける伝送制御プロトコル（ＴＣＰ）、ユーザデータグラムプロトコル（ＵＤＰ）、およびインターネットプロトコル（ＩＰ）などの一般的な通信プロトコルを使用する、互いに接続されたコンピュータネットワークおよびコンピュータデバイスの地球規模のシステムを含み得る。ネットワーク１１２は、他のサービスプロバイダによって所有され、さらに／または運用される有線通信ネットワークまたはワイヤレス通信ネットワークを含み得る。例えば、ネットワーク１１２は、ＲＡＮ１０３／１０４／１０５と同一のＲＡＴを使用することも、異なるＲＡＴを使用することも可能な１または複数のＲＡＮに接続された別のコアネットワークを含むことが可能である。
【００１９】
通信システム１００におけるＷＴＲＵ１０２ａ、１０２ｂ、１０２ｃ、および／または１０２ｄのうちのいくつか、またはすべてが、マルチモード能力を含むことが可能であり、すなわち、ＷＴＲＵ１０２ａ、１０２ｂ、１０２ｃ、および／または１０２ｄは、異なるワイヤレスリンクを介して異なるワイヤレスネットワークと通信するための複数のトランシーバを含むことが可能である。例えば、図１Ａに示されるＷＴＲＵ１０２ｃが、セルラベースの無線技術を使用することが可能な基地局１１４ａ、およびＩＥＥＥ８０２無線技術を使用することが可能な基地局１１４ｂを相手に通信するように構成されることが可能である。
【００２０】
図１Ｂは、例示的なＷＴＲＵ１０２のシステム図を示す。図１Ｂに示されるとおり、ＷＴＲＵ１０２は、プロセッサ１１８、トランシーバ１２０、送信／受信要素１２２、スピーカ／マイクロフォン１２４、キーパッド１２６、ディスプレイ／タッチパッド１２８、非リムーバブルメモリ１３０、リムーバブルメモリ１３２、電源１３４、全地球測位システム（ＧＰＳ）チップセット１３６、および他の周辺装置１３８を含み得る。ＷＴＲＵ１０２は、実施形態と合致したままでありながら、前述の要素の任意の部分的組み合わせを含み得ることが認識されよう。さらに、実施形態は、基地局１１４ａおよび１１４ｂ、ならびに／または、とりわけ、基地局トランシーバ（ＢＴＳ）、ノードＢ、サイトコントローラ、アクセスポイント（ＡＰ）、ホームノードＢ、発展型ホームノードＢ（ｅノードＢ）、ホーム発展型ノードＢ（ＨｅＮＢ）、ホーム発展型ノードＢゲートウェイ、およびプロクシノードなどの、ただし、以上には限定されない基地局１１４ａおよび１１４ｂが代表することが可能なノードが、図１Ｂに示され、さらに本明細書で説明される要素のうちのいくつか、またはすべてを含み得ることを企図する。
【００２１】
プロセッサ１１８は、汎用プロセッサ、専用プロセッサ、従来のプロセッサ、デジタルシグナルプロセッサ（ＤＳＰ）、複数のマイクロプロセッサ、ＤＳＰコアに関連する１または複数のマイクロプロセッサ、コントローラ、マイクロコントローラ、特定用途向け集積回路（ＡＳＩＣ）、フィールドプログラマブルゲートアレイ（ＦＰＧＡ）回路、他の任意のタイプの集積回路（ＩＣ）、状態マシンなどであり得る。プロセッサ１１８は、ＷＴＲＵ１０２がワイヤレス環境において動作することを可能にする信号符号化機能、データ処理機能、電力制御機能、入出力処理機能、および／または他の任意の機能を実行することが可能である。プロセッサ１１８は、送信／受信要素１２２に結合されることが可能なトランシーバ１２０に結合され得る。図１Ｂは、プロセッサ１１８とトランシーバ１２０を別々の構成要素として示すが、プロセッサ１１８とトランシーバ１２０は、電子パッケージまたは電子チップの中に一緒に組み込まれてもよいことが認識されよう。
【００２２】
送信／受信要素１２２は、無線インターフェース１１５／１１６／１１７を介して基地局（例えば、基地局１１４ａ）に信号を送信するように、または基地局（例えば、基地局１１４ａ）から信号を受信するように構成され得る。例えば、一実施形態において、送信／受信要素１２２は、ＲＦ信号を送信するように、さらに／または受信するように構成されたアンテナであり得る。別の実施形態において、送信／受信要素１２２は、例えば、ＩＲ信号、ＵＶ信号、または可視光信号を送信するように、さらに／または受信するように構成されたエミッタ／検出器であることが可能である。さらに別の実施形態において、送信／受信要素１２２は、ＲＦ信号と光信号の両方を送受信するように構成され得る。送信／受信要素１２２は、ワイヤレス信号の任意の組み合わせを送信するように、さらに／または受信するように構成され得ることが認識されよう。
【００２３】
さらに、送信／受信要素１２２は、図１Ｂに単一の要素として示されるものの、ＷＴＲＵ１０２は、任意の数の送信／受信要素１２２を含み得る。より詳細には、ＷＴＲＵ１０２は、ＭＩＭＯ技術を使用することが可能である。このため、一実施形態において、ＷＴＲＵ１０２は、無線インターフェース１１５／１１６／１１７を介してワイヤレス信号を送信するため、および受信するための２つ以上の送信／受信要素１２２（例えば、複数のアンテナ）を含むことが可能である。
【００２４】
トランシーバ１２０は、送信／受信要素１２２によって送信されるべき信号を変調するように、さらに送信／受信要素１２２によって受信された信号を復調するように構成され得る。前述したとおり、ＷＴＲＵ１０２は、マルチモード能力を有し得る。このため、トランシーバ１２０は、ＷＴＲＵ１０２が、例えば、ＵＴＲＡおよびＩＥＥＥ８０２．１１などの複数のＲＡＴを介して通信することを可能にするための複数のトランシーバを含み得る。
【００２５】
ＷＴＲＵ１０２のプロセッサ１１８は、スピーカ／マイクロフォン１２４、キーパッド１２６、および／またはディスプレイ／タッチパッド１２８（例えば、液晶ディスプレイ（ＬＣＤ）ディスプレイユニットまたは有機発光ダイオード（ＯＬＥＤ）ディスプレイユニット）に結合されることが可能であり、スピーカ／マイクロフォン１２４、キーパッド１２６、および／またはディスプレイ／タッチパッド１２８（例えば、液晶ディスプレイ（ＬＣＤ）ディスプレイユニットまたは有機発光ダイオード（ＯＬＥＤ）ディスプレイユニット）からユーザによって入力されたデータを受け取ることが可能である。また、プロセッサ１１８は、スピーカ／マイクロフォン１２４、キーパッド１２６、および／またはディスプレイ／タッチパッド１２８にデータを出力することも可能である。さらに、プロセッサ１１８は、非リムーバブルメモリ１３０および／またはリムーバブルメモリ１３２などの任意のタイプの適切なメモリからの情報にアクセスすることが可能であり、さらにそのようなメモリの中にデータを格納することが可能である。非リムーバブルメモリ１３０は、ランダムアクセスメモリ（ＲＡＭ）、読み取り専用メモリ（ＲＯＭ）、ハードディスク、または他の任意のタイプのメモリストレージデバイスを含み得る。リムーバブルメモリ１３２は、加入者ＩＤモジュール（ＳＩＭ）カード、メモリスティック、セキュアデジタル（ＳＤ）メモリカードなどを含み得る。他の実施形態において、プロセッサ１１８は、サーバ上、またはホームコンピュータ（図示せず）上など、ＷＴＲＵ１０２上に物理的に配置されていないメモリからの情報にアクセスすること、およびそのようなメモリの中にデータを格納することが可能である。
【００２６】
プロセッサ１１８は、電源１３４から電力を受け取ることが可能であり、さらにＷＴＲＵ１０２におけるその他の構成要素に電力を供給するように、さらに／またはそれらの構成要素に対する電力を制御するように構成されることが可能である。電源１３４は、ＷＴＲＵ１０２に電力を供給するための任意の適切なデバイスであり得る。例えば、電源１３４には、１または複数の乾電池（例えば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、燃料電池などが含まれ得る。
【００２７】
プロセッサ１１８は、ＷＴＲＵ１０２の現在の位置に関する位置情報（例えば、経度と緯度）をもたらすように構成され得るＧＰＳチップセット１３６に結合されることも可能である。ＧＰＳチップセット１３６からの情報に加えて、またはそのような情報の代わりに、ＷＴＲＵ１０２は、基地局（例えば、基地局１１４ａ、１１４ｂ）から無線インターフェース１１５／１１６／１１７を介して位置情報を受信してもよく、さらに／または近くの２つ以上の基地局から受信されている信号のタイミングに基づいて、その位置を特定してもよい。ＷＴＲＵ１０２は、実施形態と合致したままでありながら、任意の適切な位置特定方法によって位置情報を獲得することが可能であることが認識されよう。
【００２８】
プロセッサ１１８は、さらなるフィーチャ、さらなる機能、および／またはさらなる有線接続もしくはワイヤレス接続をもたらす１または複数のソフトウェアモジュールおよび／またはハードウェアモジュールを含み得る、他の周辺装置１３８にさらに結合されることが可能である。例えば、周辺装置１３８には、加速度計、電子コンパス、衛星トランシーバ、デジタルカメラ（写真またはビデオのための）、ユニバーサルシリアルバス（ＵＳＢ）ポート、振動デバイス、テレビトランシーバ、ハンズフリーヘッドセット、Ｂｌｕｅｔｏｏｔｈ（登録商標）モジュール、周波数変調（ＦＭ）無線ユニット、デジタル音楽プレーヤ、メディアプレーヤ、ビデオゲームプレーヤモジュール、インターネットブラウザなどが含まれ得る。
【００２９】
図１Ｃは、実施形態によるＲＡＮ１０３およびコアネットワーク１０６のシステム図を示す。前述したとおり、ＲＡＮ１０３は、ＵＴＲＡ無線技術を使用して、無線インターフェース１１５を介してＷＴＲＵ１０２ａ、１０２ｂ、および／または１０２ｃと通信することが可能である。また、ＲＡＮ１０３は、コアネットワーク１０６と通信状態にあることも可能である。図１Ｃに示されるとおり、ＲＡＮ１０３は、無線インターフェース１１５を介してＷＴＲＵ１０２ａ、１０２ｂ、および／または１０２ｃと通信するための１または複数のトランシーバをそれぞれが含み得るノードＢ１４０ａ、１４０ｂ、および／または１４０ｃを含むことが可能である。ノードＢ１４０ａ、１４０ｂ、および／または１４０ｃはそれぞれ、ＲＡＮ１０３内の特定のセル（図示せず）に関連することが可能である。また、ＲＡＮ１０３は、ＲＮＣ１４２ａおよび／または１４２ｂを含むことも可能である。ＲＡＮ１０３は、実施形態と合致したままでありながら、任意の数のノードＢおよびＲＮＣを含み得ることが認識されよう。
【００３０】
図１Ｃに示されるとおり、ノードＢ１４０ａおよび／または１４０ｂが、ＲＮＣ１４２ａと通信状態にあることが可能である。さらに、ノードＢ１４０ｃが、ＲＮＣ１４２ｂと通信状態にあることが可能である。ノードＢ１４０ａ、１４０ｂ、および／または１４０ｃは、Ｉｕｂインターフェースを介してそれぞれのＲＮＣ１４２ａ、１４２ｂと通信することが可能である。ＲＮＣ１４２ａ、１４２ｂは、Ｉｕｒインターフェースを介して互いに通信状態にあることが可能である。ＲＮＣ１４２ａ、１４２ｂのそれぞれは、それが接続されたそれぞれのノードＢ１４０ａ、１４０ｂ、および／または１４０ｃを制御するように構成され得る。さらに、ＲＮＣ１４２ａ、１４２ｂのそれぞれは、外側ループ電力制御、負荷制御、受け付け制御、パケットスケジューリング、ハンドオーバ制御、マクロダイバーシティ、セキュリティ機能、データ暗号化などの他の機能を実行するように、またはサポートするように構成され得る。
【００３１】
図１Ｃに示されるコアネットワーク１０６は、メディアゲートウェイ（ＭＧＷ）１４４、移動交換局（ＭＳＣ）１４６、サービングＧＰＲＳサポートノード（ＳＧＳＮ）１４８、および／またはゲートウェイＧＰＲＳサポートノード（ＧＧＳＮ）１５０を含むことが可能である。前述の要素のそれぞれは、コアネットワーク１０６の一部として示されるが、これらの要素のうちのいずれの要素も、コアネットワーク事業者以外のエンティティによって所有され、さらに／または運用される可能性があることが認識されよう。
【００３２】
ＲＡＮ１０３におけるＲＮＣ１４２ａは、ＩｕＣＳインターフェースを介してコアネットワーク１０６におけるＭＳＣ１４６に接続され得る。ＭＳＣ１４６は、ＭＧＷ１４４に接続され得る。ＭＳＣ１４６およびＭＧＷ１４４は、ＷＴＲＵ１０２ａ、１０２ｂ、および／または１０２ｃに、ＰＳＴＮ１０８などの回線交換ネットワークに対するアクセスをもたらして、ＷＴＲＵ１０２ａ、１０２ｂ、および／または１０２ｃと従来の陸線通信デバイスの間の通信を円滑にすることが可能である。
【００３３】
また、ＲＡＮ１０３におけるＲＮＣ１４２ａは、ＩｕＰＳインターフェースを介してコアネットワーク１０６におけるＳＧＳＮ１４８に接続されることも可能である。ＳＧＳＮ１４８は、ＧＧＳＮ１５０に接続され得る。ＳＧＳＮ１４８およびＧＧＳＮ１５０は、ＷＴＲＵ１０２ａ、１０２ｂ、および／または１０２ｃに、インターネット１１０などのパケット交換ネットワークに対するアクセスをもたらして、ＷＴＲＵ１０２ａ、１０２ｂ、および／または１０２ｃとＩＰ対応のデバイスの間の通信を円滑にすることが可能である。
【００３４】
前述したとおり、コアネットワーク１０６は、他のサービスプロバイダによって所有され、さらに／または運用される他の有線ネットワークまたはワイヤレスネットワークを含むことが可能なネットワーク１１２に接続されることも可能である。
【００３５】
図１Ｄは、実施形態によるＲＡＮ１０４およびコアネットワーク１０７のシステム図を示す。前述したとおり、ＲＡＮ１０４は、Ｅ−ＵＴＲＡ無線技術を使用して、無線インターフェース１１６を介してＷＴＲＵ１０２ａ、１０２ｂ、および／または１０２ｃと通信することが可能である。また、ＲＡＮ１０４は、コアネットワーク１０７と通信状態にあることも可能である。
【００３６】
ＲＡＮ１０４は、ｅノードＢ１６０ａ、１６０ｂ、および／または１６０ｃを含むことが可能であり、ただし、ＲＡＮ１０４は、実施形態と合致したままでありながら、任意の数のｅノードＢを含み得ることが認識されよう。ｅノードＢ１６０ａ、１６０ｂ、および／または１６０ｃはそれぞれ、無線インターフェース１１６を介してＷＴＲＵ１０２ａ、１０２ｂ、および／または１０２ｃと通信するための１または複数のトランシーバを含み得る。一実施形態において、ｅノードＢ１６０ａ、１６０ｂ、および／または１６０ｃは、ＭＩＭＯ技術を実施することが可能である。このため、例えば、ｅノードＢ１６０ａが、複数のアンテナを使用して、ＷＴＲＵ１０２ａにワイヤレス信号を送信すること、およびＷＴＲＵ１０２ａからワイヤレス信号を受信することが可能である。
【００３７】
ｅノードＢ１６０ａ、１６０ｂ、および／または１６０ｃのそれぞれは、特定のセル（図示せず）に関連することが可能であり、さらに無線リソース管理決定、ハンドオーバ決定、アップリンクおよび／またはダウンリンクにおけるユーザのスケジューリングなどを扱うように構成されることが可能である。図１Ｄに示されるとおり、ｅノードＢ１６０ａ、１６０ｂ、および／または１６０ｃは、Ｘ２インターフェースを介して互いに通信することが可能である。
【００３８】
図１Ｄに示されるコアネットワーク１０７は、移動性管理ゲートウェイ（ＭＭＥ）１６２、サービングゲートウェイ１６４、およびパケットデータネットワーク（ＰＤＮ）ゲートウェイ１６６を含み得る。前述の要素のそれぞれは、コアネットワーク１０７の一部として示されるが、これらの要素のうちのいずれの要素も、コアネットワーク事業者以外のエンティティによって所有され、さらに／または運用される可能性があることが認識されよう。
【００３９】
ＭＭＥ１６２が、Ｓ１インターフェースを介してＲＡＮ１０４におけるｅノードＢ１６０ａ、１６０ｂ、および／または１６０ｃのそれぞれに接続されることが可能であり、さらに制御ノードの役割をすることが可能である。例えば、ＭＭＥ１６２は、ＷＴＲＵ１０２ａ、１０２ｂ、および／または１０２ｃのユーザを認証すること、ベアラ活性化／不活性化、ＷＴＲＵ１０２ａ、１０２ｂ、および／または１０２ｃの初期アタッチ中に特定のサービングゲートウェイを選択することなどを担うことが可能である。また、ＭＭＥ１６２は、ＲＡＮ１０４と、ＧＳＭまたはＷＣＤＭＡなどの他の無線技術を使用するＲＡＮ（図示せず）の間で切り換えるための制御プレーン機能をもたらすことも可能である。
【００４０】
サービングゲートウェイ１６４が、Ｓ１インターフェースを介してＲＡＮ１０４におけるｅノードＢ１６０ａ、１６０ｂ、および／または１６０ｃのそれぞれに接続されることが可能である。サービングゲートウェイ１６４は、一般に、ＷＴＲＵ１０２ａ、１０２ｂ、および／または１０２ｃに対する／からのユーザデータパケットのルーティングおよび転送を行う。また、サービングゲートウェイ１６４は、ｅノードＢ間ハンドオーバ中にユーザプレーンをアンカリングすること、ＷＴＲＵ１０２ａ、１０２ｂ、および／または１０２ｃにダウンリンクデータが利用可能な場合にページングをトリガすること、ＷＴＲＵ１０２ａ、１０２ｂ、および／または１０２ｃのコンテキストを管理すること、および格納することなどの他の機能を実行することも可能である。
【００４１】
また、サービングゲートウェイ１６４は、ＷＴＲＵ１０２ａ、１０２ｂ、および／または１０２ｃに、インターネット１１０などのパケット交換ネットワークに対するアクセスをもたらして、ＷＴＲＵ１０２ａ、１０２ｂ、および／または１０２ｃとＩＰ対応のデバイスの間の通信を円滑にすることが可能なＰＤＮゲートウェイ１６６に接続されることも可能である。
【００４２】
コアネットワーク１０７は、他のネットワークとの通信を円滑にすることが可能である。例えば、コアネットワーク１０７は、ＷＴＲＵ１０２ａ、１０２ｂ、および／または１０２ｃに、ＰＳＴＮ１０８などの回線交換ネットワークに対するアクセスをもたらして、ＷＴＲＵ１０２ａ、１０２ｂ、および／または１０２ｃと従来の陸線通信デバイスの間の通信を円滑にすることが可能である。例えば、コアネットワーク１０７は、コアネットワーク１０７とＰＳＴＮ１０８の間のインターフェースの役割をするＩＰゲートウェイ（例えば、ＩＰマルチメディアサブシステム（ＩＭＳ）サーバ）を含むことが可能であり、またはそのようなＩＰゲートウェイと通信することが可能である。さらに、コアネットワーク１０７は、ＷＴＲＵ１０２ａ、１０２ｂ、および／または１０２ｃに、他のサービスプロバイダによって所有され、さらに／または運用される他の有線通信ネットワークまたはワイヤレス通信ネットワークを含み得るネットワーク１１２に対するアクセスをもたらすことが可能である。
【００４３】
図１Ｅは、実施形態によるＲＡＮ１０５およびコアネットワーク１０９のシステム図を示す。ＲＡＮ１０５は、ＩＥＥＥ８０２．１６無線技術を使用して、無線インターフェース１１７を介してＷＴＲＵ１０２ａ、１０２ｂ、および／または１０２ｃと通信するアクセスサービスネットワーク（ＡＳＮ）であり得る。後段でさらに説明されるとおり、ＷＴＲＵ１０２ａ、１０２ｂ、および／または１０２ｃ、ＲＡＮ１０５、ならびにコアネットワーク１０９の異なる機能エンティティ間の通信リンクは、基準ポイントと定義され得る。
【００４４】
図１Ｅに示されるとおり、ＲＡＮ１０５が、基地局１８０ａ、１８０ｂ、および／または１８０ｃ、ならびにＡＳＮゲートウェイ１８２を含むことが可能であり、ただし、ＲＡＮ１０５は、実施形態と合致したままでありながら、任意の数の基地局およびＡＳＮゲートウェイを含み得ることが認識されよう。基地局１８０ａ、１８０ｂ、および／または１８０ｃはそれぞれ、ＲＡＮ１０５における特定のセル（図示せず）に関連することが可能であり、さらに無線インターフェース１１７を介してＷＴＲＵ１０２ａ、１０２ｂ、および／または１０２ｃと通信するための１または複数のトランシーバをそれぞれが含むことが可能である。一実施形態において、基地局１８０ａ、１８０ｂ、および／または１８０ｃは、ＭＩＭＯ技術を実施することが可能である。このため、基地局１８０ａが、例えば、複数のアンテナを使用して、ＷＴＲＵ１０２ａにワイヤレス信号を送信すること、およびＷＴＲＵ１０２ａからワイヤレス信号を受信することが可能である。また、基地局１８０ａ、１８０ｂ、および／または１８０ｃは、ハンドオフをトリガすること、トンネル確立、無線リソース管理、トラフィック分類、サービス品質（ＱｏＳ）ポリシー執行などの移動性管理機能をもたらすことも可能である。ＡＳＮゲートウェイ１８２は、トラフィック集約ポイントの役割をすることが可能であり、さらにページング、加入者プロファイルのキャッシング、コアネットワーク１０９に対するルーティングなどを担うことが可能である。
【００４５】
ＷＴＲＵ１０２ａ、１０２ｂ、および／または１０２ｃとＲＡＮ１０５の間の無線インターフェース１１７は、ＩＥＥＥ８０２．１６規格を実施するＲ１基準ポイントと定義され得る。さらに、ＷＴＲＵ１０２ａ、１０２ｂ、および／または１０２ｃのそれぞれが、コアネットワーク１０９を相手に論理インターフェース（図示せず）を確立することが可能である。ＷＴＲＵ１０２ａ、１０２ｂ、および／または１０２ｃとコアネットワーク１０９の間の論理インターフェースは、認証、許可、ＩＰホスト構成管理、および／または移動性管理のために使用され得るＲ２基準ポイントと定義され得る。
【００４６】
基地局１８０ａ、１８０ｂ、および／または１８０ｃのそれぞれの間の通信リンクは、基地局間のＷＴＲＵハンドオーバ、およびデータの転送を円滑にするためのプロトコルを含むＲ８基準ポイントと定義され得る。基地局１８０ａ、１８０ｂ、および／または１８０ｃとＡＳＮゲートウェイ１８２の間の通信リンクは、Ｒ６基準ポイントと定義され得る。Ｒ６基準ポイントは、ＷＴＲＵ１０２ａ、１０２ｂ、および／または１０２ｃのそれぞれに関連する移動性イベントに基づいて移動性管理を円滑にするためのプロトコルを含み得る。
【００４７】
図１Ｅに示されるとおり、ＲＡＮ１０５が、コアネットワーク１０９に接続され得る。ＲＡＮ１０５とコアネットワーク１０９の間の通信リンクは、例えば、データ転送能力および移動性管理能力を円滑にするためのプロトコルを含むＲ３基準ポイントと定義され得る。コアネットワーク１０９は、モバイルＩＰホームエージェント（ＭＩＰ−ＨＡ）１８４、認証−許可−アカウンティング（ＡＡＡ）サーバ１８６、およびゲートウェイ１８８を含み得る。前述の要素のそれぞれは、コアネットワーク１０９の一部として示されるが、これらの要素のうちのいずれの要素も、コアネットワーク事業者以外のエンティティによって所有され、さらに／または運用される可能性があることが認識されよう。
【００４８】
ＭＩＰ−ＨＡは、ＩＰアドレス管理を担うことが可能であり、さらにＷＴＲＵ１０２ａ、１０２ｂ、および／または１０２ｃが、異なるＡＳＮおよび／または異なるコアネットワークの間でローミングすることを可能にすることができる。ＭＩＰ−ＨＡ１８４は、ＷＴＲＵ１０２ａ、１０２ｂ、および／または１０２ｃに、インターネット１１０などのパケット交換ネットワークに対するアクセスをもたらして、ＷＴＲＵ１０２ａ、１０２ｂ、および／または１０２ｃとＩＰ対応のデバイスの間の通信を円滑にすることが可能である。ＡＡＡサーバ１８６は、ユーザ認証、およびユーザサービスをサポートすることを担うことが可能である。ゲートウェイ１８８は、他のネットワークとのインターワーキング（ｉｎｔｅｒｗｏｒｋｉｎｇ）を円滑にすることが可能である。例えば、ゲートウェイ１８８は、ＷＴＲＵ１０２ａ、１０２ｂ、および／または１０２ｃに、ＰＳＴＮ１０８などの回線交換ネットワークに対するアクセスをもたらして、ＷＴＲＵ１０２ａ、１０２ｂ、および／または１０２ｃと従来の陸線通信デバイスの間の通信を円滑にすることが可能である。さらに、ゲートウェイ１８８は、ＷＴＲＵ１０２ａ、１０２ｂ、および／または１０２ｃに、他のサービスプロバイダによって所有され、さらに／または運用される他の有線通信ネットワークまたはワイヤレス通信ネットワークを含み得るネットワーク１１２に対するアクセスをもたらすことが可能である。
【００４９】
図１Ｅには示されないものの、ＲＡＮ１０５は、他のＡＳＮに接続されることが可能であり、さらにコアネットワーク１０９は、他のコアネットワークに接続されることが可能であることが認識されるべきであり、認識されることが可能であり、さらに／または認識されよう。ＲＡＮ１０５と他のＡＳＮの間の通信リンクは、ＲＡＮ１０５と他のＡＳＮの間でＷＴＲＵ１０２ａ、１０２ｂ、および／または１０２ｃの移動性を調整するためのプロトコルを含み得るＲ４基準ポイントと定義され得る。コアネットワーク１０９と他のコアネットワークの間の通信リンクは、ホームコアネットワークと移動先コアネットワークの間のインターワーキングを円滑にするためのプロトコルを含み得るＲ５基準と定義され得る。
【００５０】
本明細書で説明されるとおり、モバイルネットワーク上で増大するデータトラフィックをサポートするのを助けるのに、既存のマクロセルｅＮＢに対するインフラストラクチャオーバーホールが、マクロセルからスモールセルまたはピコセル（例えば、さもなければ劣悪なカバレッジを有するユーザに対して、より高いサービス品質を可能にすることができる）に移す（ｏｆｆｌｏａｄ）異種のネットワーク（ヘット−ネット）が確立され得るようにもたらされる、さらに／または使用されることが可能である。そのようなネットワークの保護をもたらすのに、ロングタームエボリューションアドバンスト（ＬＴＥ−Ａ）エンハンストインターセルインターフィアランスコーディネーション（Ｅｎｈａｎｃｅｄ  Ｉｎｔｅｒ  Ｃｅｌｌ  Ｉｎｔｅｒｆｅｒｅｎｃｅ  Ｃｏｏｒｄｉｎａｔｉｏｎ）（ｅＩＣＩＣ）が、マクロセルユーザ機器（ＵＥ）および／またはピコ（もしくは他のスモールセル）ユーザ機器（ＵＥ）をもたらすことが可能であり、さらに／またはそのようなユーザ機器（ＵＥ）のために使用されることが可能である。詳細には、オールモーストブランクサブフレーム（ＡＢＳ）機構および／または技法が、例えば、時分割多重化（ＴＤＭ）フレームワークを作成するのに使用されて、マクロセルおよび／またはピコ（もしくは他のスモール）セルの干渉を低減する（例えば、干渉のない動作のために）ことが可能である。図２は、例えば、マクロベースのネットワーク（例えば、図１Ａ〜図１Ｅで前述した通信システムおよび／またはＷＴＲＵで使用され得る）において使用され得る通常のＡＢＳ機構またはＡＢＳ技法の例示的な実施形態を示す。図２に示されるとおり、ＡＢＳサブフレームにおいて、マクロｅＮＢ（例えば、２０２）が、周期的にオフにされて、ピコｅＮＢ（例えば、２０４）がそのセル縁端ＵＥと通信することを許し得る、または可能にし得る。例示的な実施形態（例えば、図示される）において、周期的ＡＢＳパターンは、半静的に構成され得る。さらに、周期的ＡＢＳパターンは、４０ビット長マッピングを使用して定義されること、および表現されることが可能である。また、ＡＢＳパターンのデューティサイクルが、マクロセルとピコセルの間で目標の負荷分散が実現され得るように選択されることも可能である。実施形態において、ＡＢＳサブフレームは、完全に空白ではないことが可能であり、さらにレガシーＵＥ（例えば、リリース８ＵＥ）の動作をサポートする信号を送信することが可能である。例えば、ＡＢＳサブフレームにおいて、マクロセルが、共通基準信号（ＣＲＳ）、一次二次同期チャネル（ＰＳＣＨ）および二次同期チャネル（ＳＳＣＨ）、物理ブロードキャストチャネル（ＰＢＣＨ）、ならびに／または物理制御チャネル（ＰＤＣＣＨ）の伝送を続けることが可能である。
【００５１】
ＡＢＳ機構またはＡＢＳ技法（例えば、図２に示される）は、システム全体の平均セルスループットの向上をもたらし得るが、マクロＵＥの平均スループットを低下させる可能性がある。例えば、マクロセルにおいて、ＡＢＳサブフレームの物理ダウンリンク共有チャネル（ＰＤＳＣＨ）リソースが、例えば、ピコセルＵＥ上、またはスモールセルＵＥ上の干渉を低減する、または制限する、より低い伝送電力などの制約を有することが可能であり、さらに／またはそのような制約の下で動作することが可能である。マクロセルにおけるＡＢＳサブフレームに対するそのようなリソース割り当ては、ピコセルＵＥまたはスモールセルＵＥの実際のニーズの知識なしに実行され得る。そのような実施形態において、ピコセルは、そのようなリソースのうちのわずかしか必要としない可能性があり、したがって、ピコセルが必要とする可能性があるよりも多くのリソースが、ＡＢＳサブフレームにおけるマクロセル動作から奪われる事例が存在する可能性がある。
【００５２】
このため、そのようなマクロセルＵＥ、および／またはピコセルＵＥもしくはスモールセルＵＥ、ならびに／またはそれらに関連するネットワーク、ならびにそのようなセル、ＵＥ、および／またはネットワークにおける干渉調整で使用され得る、またはそのようなＵＥおよびネットワークをサポートし得るＡＢＳサブフレームを提供するためのシステムおよび方法が、開示され得る。そのようなＡＢＳサブフレームは、現行のＡＢＳサブフレーム、ＡＢＳ機構、および／またはＡＢＳ技法で使用され得る時間領域分割（ＴＤＭ）（例えば、第１の次元）と組み合わせで、さらなる１または複数の次元を含む、さらに／または使用することが可能である。１つのそのような次元（例えば、さらなる次元）が、例えば、部分帯域（ＰＢ）ＡＢＳ（ＰＢ−ＡＢＳ）サブフレームをもたらす、もしくは作成するのに、さらに／またはＰＢ−ＡＢＳに関するＲＲＭ測定リソース制約、ＲＬＭ測定リソース制約、および／またはＣＳＩ測定リソース制約を含むそのようなＰＢ−ＡＢＳサブフレームの検出、２つのサービングセルにおけるＰＢ−ＡＢＳサブフレームの分割などに、例えば、使用され得る、周波数領域（例えば、第２の次元）であることが可能である。別のそのような次元（例えば、ＴＤＭおよび／または周波数領域と一緒に使用され得るさらなる次元）が、空間ＡＢＳ（ＳＡＢＳ）をもたらす、もしくは作成するのに、ビーム特有のパラメータによって実施されるＳＡＢＳでリソースを分割するのに、調整されたビームパラメータおよび／またはビーム制御をシグナリングするのに、ＵＥにおけるサブセルＩＤのためのビーム特有の基準信号に、ビームブランキングに、さらに／または空白化されたビームリソースについてのＵＥ測定に使用され得る空間領域（例えば、第３の次元）であり得る。
【００５３】
例えば、ＰＢ−ＡＢＳ（例えば、ＴＤＭに加えて、ＦＤＭなどの周波数領域を含み得る）が、そのようなマクロセルＵＥおよび／またはピコセルＵＥもしくはスモールセルＵＥ、ならびに／またはネットワークをサポートするように定義され、もたらされ、さらに／または使用されることが可能である。図３は、非マルチキャスト−ブロードキャスト単一周波数ネットワーク（ＭＢＳＦＮ）構成における例示的なＰＢ−ＡＢＳサブフレームを示し、さらに図４は、ＭＢＳＦＮ構成における例示的なＰＢ−ＡＢＳサブフレームを示す。図３および図４に示されるとおり、ＰＢ−ＡＢＳサブフレームは、ＰＤＳＣＨ領域（例えば、３０４および４０４）の一部分であり得る１または複数のＰＢ−ＡＢＳ領域（例えば、３０２および４０２）を含み得る。ＰＢ−ＡＢＳ領域（例えば、３０２および４０２）は、ネットワーク上のピコセル動作、または他のスモールセル動作のために確保され得る。例えば、ＰＢ−ＡＢＳ領域は、ＰＢ−ＡＢＳサブフレーム内に１または複数のリソースブロック（ＲＢ）（例えば、３０６および４０６）、および／またはＲＢのサブセットを含むことが可能であり、ただし、そのようなＲＢもしくはそれらのサブセットは、ピコセル動作もしくはスモールセル動作のために使用され得る。ＰＢ−ＡＢＳサブフレームおよび／またはＡＢＳサブフレームは、マクロセル動作のために使用されることが可能な１または複数の領域をさらに含むことが可能であり、したがって、１または複数のＲＢ（例えば、ピコセルのために使用されないＲＢ）がマクロセル伝送に利用可能であり得る。このため、サブフレーム（例えば、ＰＢ−ＡＢＳ）が、供給され、さらに／または受信されることが可能であり、ただし、そのようなサブフレームは、領域（例えば、ＰＢ−ＡＢＳ領域）、またはピコセル動作などのより小さいセル動作のための領域、およびより大きいセル動作に利用可能な領域（例えば、ＡＢＳ領域）の割り当ての指示（例えば、本明細書で説明されるビットマップ）を含む。そのようなサブフレームは、情報または信号をどこに送信すべきかに関する判定が行われ得るように処理されることが可能である。例えば、指示の中で識別された、または指示の中に含められた割り当てに基づいて、１または複数のＲＢ（例えば、オールモーストＲＢ）および／または領域（例えば、ＰＢ−ＡＢＳ領域）に関する１または複数のパラメータ（例えば、領域パラメータ）が、そのようなスモールセル伝送（スモールセルＵＥに対する伝送）のために識別され、さらに／または使用されることが可能である。指示の中の割り当てに基づいて、スモールセル伝送のために識別されない、さらに／または使用されない可能性がある１または複数のＲＢ、および／または領域（例えば、ＰＢ−ＡＢＳ領域）に関する１または複数のパラメータ、ならびに／またはより大きいセルの伝送に利用可能な領域（例えば、ＡＢＳ領域）が、より大きいセルの伝送のために使用されることが可能である。このため、この実施形態において、マクロセルは、ピコＵＥに対する干渉を制限しながら、または低減しながら、ＰＢ−ＡＢＳサブフレームまたはＡＢＳサブフレームの中で（例えば、ＡＢＳ帯域内で）マクロＵＥに送信することができる。さらに、マクロセルは、ピコＵＥ干渉低減に関連する制約なしに、非ＰＢ−ＡＢＳサブフレームの中でマクロＵＥをスケジュールすることができる。
【００５４】
前述したとおり、ＰＢ−ＡＢＳサブフレーム（例えば、３０２および４０２）は、ＰＢ−ＡＢＳ領域（本明細書で「オールモーストブランクＲＢ」とも呼ばれ得る）に割り当てられたＲＢ（例えば、３０６および４０６）を含み得る。オールモーストブランクＲＢを割り当てる際、オールモーストブランクＲＢは、隣り合っていても、隣り合っていなくてもよい。さらに、ＰＢ−ＡＢＳサブフレームに関する周波数領域情報が、各ビットがＲＢまたはＲＢのセットを表し得るビットマップを使用して定義されることが可能である。ＰＢ−ＡＢＳサブフレームの中のオールモーストブランクＲＢの数および位置は、固定であること、半静的に構成されること、および／または動的に変更されることが可能である。実施形態において、ＰＢ−ＡＢＳ領域は、エンハンスト物理ダウンリンク制御チャネル（ｅＰＤＣＣＨ）情報を送信することが可能である。例えば、サブフレームのレガシー制御領域（例えば、図３に示されるＰＤＣＣＨ）の外にマップされ得るｅＰＤＣＣＨ情報と関係する制御チャネルまたは複数の制御チャネルが、ＰＢ−ＡＢＳ領域の中に含められることが可能である。
【００５５】
さらに、ＰＢ−ＡＢＳ領域におけるＰＤＳＣＨ伝送が、マクロセルが低減された電力で継続的に送信することができるように弱められ、さらに／または低減された電力の（ＲＰ）モードに切り換えられることが可能である。実施形態において、ＲＰ−ＡＢＳ領域（例えば、ＰＢ−ＡＢＳ領域におけるＰＤＳＣＨ伝送の電力または低減された電力を計算するのに使用され得る）に関する電力オフセットＰRP-ADSは、構成されたセル範囲拡大（ＣＲＥ）値と等しいことが可能であり、またはそのようなＣＲＥ値から導き出されることが可能である。
【００５６】
時間および／または周波数（例えば、第１の次元、および第２の次元）が、ＲＢがオールモーストブランクＲＢであり得るかどうかを判定するのに使用され得る。例えば、ＵＥが、ＲＢがオールモーストブランクＲＢであり得るかどうかを、時間および／または周波数の関数を使用して判定することが可能である。そのような実施形態において、オールモーストブランクＲＢは、周期性および時間オフセットを使用すること、および／または周期性および時間オフセットによって表されることが可能であり、さらにオールモーストブランクＲＢが生じることが可能な帯域が、それらに依存しても、依存しなくてもよい別の（例えば、異なる）周期性および周波数を使用すること、および／またはそのような周期性および周波数によって表されることが可能である。そのような周期性、時間オフセット、および／または周波数オフセット（例えば、オールモーストブランクＲＢの周期性および時間オフセット、ならびに帯域の周期性および周波数オフセット）が、ＲＢがオールモーストブランクＲＢであり得るかどうかを識別するのに（例えば、ＵＥによって）使用されることが可能であり、したがって、ＲＢが、オールモーストブランクＲＢに関連する特定の周期性および時間オフセット、ならびに／またはその帯域の特定の周期性および周波数オフセットを有し得る場合、それは、そのようなとして合図がされ、さらに／または識別されることが可能である。
【００５７】
また、オールモーストブランクＲＢは、複数の構成を有することも可能であり、さらに／または複数の構成であることも可能である。それらの構成のうちの１または複数において、オールモーストブランクＲＢは、セル縁端ピコＵＥ（例えば、ピコｅＮＢに接続されている可能性があり、さらにピコｅＮＢのカバレッジエリアの境界近くに、もしくはそのような境界に隣接して（例えば、そのカバレッジエリアの中心近くにではなく）位置することが可能なＵＥ）に対して干渉しない（例えば、大きくは干渉しない）ことが可能な１または複数の（例えば、いくつかの）ＵＥに対する制限された電力の伝送を許し、さらに／または可能にすることができる。さらに、それらの構成のうちの１または複数において、オールモーストブランクＲＢは、マクロＵＥに送信しないように構成され得る。
【００５８】
例示的な実施形態において、１または複数のＰＢ−ＡＢＳ領域パラメータおよび／またはマッピング情報（例えば、周波数領域マッピング情報）が、決定されることが可能であり、さらに／またはＰＢ−ＡＢＳ領域および／またはオールモーストブランクＲＢ（例えば、それに関連する）を特定するのに使用されることが可能である。例えば、ＵＥが、ＰＢ−ＡＢＳサブフレーム内でＰＢ−ＡＢＳ領域の指示を受信することが可能である。ＵＥは、ＰＤＣＣＨを介して、ＲＲＣシグナリングを介して、例えば、ブロードキャストチャネルを使用して、またはこれらの組み合わせを介して、ＰＢ−ＡＢＳ領域に対するリソース割り当ての指示を受信することが可能である。この指示は、ＵＥに明示的にシグナリングされることも、暗示的にシグナリングされることも可能である。この指示は、ビットフラグ、コード、１または複数のパラメータ、および／またはビットマップを含み得るが、以上には限定されない。
【００５９】
例えば、周波数領域におけるＰＢ−ＡＢＳ領域が、ビットマップを使用して定義されること、示されること、さらに／または識別されることが可能である。このビットマップの各ビットは、以下、すなわち、物理リソースブロックのセット、仮想リソースブロックのセット、および／または１または複数のリソースブロック割り当てパラメータのうちの少なくともいずれかによって定義され得るサブフレーム（例えば、ＰＢ−ＡＢＳ領域内のＰＢ−ＡＢＳサブフレーム）内の１つのＲＢ、またはＲＢのセットを表すことが可能である。実施形態において、リソースブロック割り当てパラメータは、例えば、リソース割り当てのタイプ（例えば、局所化された、または分散された）、および／または物理リソースブロックもしくは仮想リソースブロックのセットを示すビットのセットを含み得る。さらに、このビットマップまたは他の指示が、周波数領域マッピング情報、または周波数領域内のＰＢ−ＡＢＳマッピングを示し得る情報をもたらすことが可能である。
【００６０】
実施形態によれば、ＰＢ−ＡＢＳマッピング情報および／またはそれらのパラメータは、同一の相対狭帯域送信電力指標（Ｒｅｌａｔｉｖｅ  Ｎａｒｒｏｗｂａｎｄ  Ｔｒａｎｓｍｉｔ  Ｐｏｗｅｒ  Ｉｎｄｉｃａｔｏｒ）（ＲＮＴＰ）、またはＲＮＴＰのサブセットであり得る。ＲＮＴＰは、ダウンリンクにおける物理リソースブロック（ＰＲＢ）当たり１ビットを含むことが可能であり、この１ビットが、そのＰＲＢ上の送信された電力が事前定義された閾値を超え得ることを示す。実施形態において、ＰＢ−ＡＢＳマッピング情報が、マクロｅＮＢからピコオンＸ２（Ｐｉｃｏ  ｏｎ  Ｘ２）へのＬＯＡＤ  ＩＮＤＩＣＡＴＩＯＮメッセージの中のＡＢＳ  Ｉｎｆｏｒｍａｔｉｏｎｅｌｅｍｅｎｔ（ＩＥ）の中に含められることが可能である。例えば、１つは、時間パターンを示し、もう１つは、帯域パターンを示す２つのビットマップパターンが、供給され得る。ＵＥは、ビットマップパターンの中で示される、対応する時間および帯域に基づいて、オールモーストブランクＲＢを特定することができる。
【００６１】
さらに、ＰＢ−ＡＢＳサブフレーム内のオールモーストブランクＲＢのマッピング（例えば、マッピング情報、シグナリング、ビットマップなどによって示され得る）は、以下のうちの１または複数を使用して実行され得る。例えば、例示的な方法において、ＰＢ−ＡＢＳ領域に割り当てられたＲＢ（例えば、オールモーストブランクＲＢ）が、帯域内の事前定義された固定ポイントの周囲のいくつかのＲＢにマップされることが可能であり、そのようなＲＢを含むことが可能であり、さらに／またはそのようなＲＢによって定義されることが可能である。そのような固定ポイントの例が、搬送波の中心、または帯域縁端であることが可能である。さらに、例示的な方法によれば、オールモーストブランクＲＢは、周波数領域内の等間隔のＰＲＢにマップされることが可能であり、そのようなＰＲＢを含むことが可能であり、さらに／またはそのようなＰＲＢによって定義されることが可能である。
【００６２】
別の例示的な方法において、オールモーストブランクＲＢに割り当てられたＲＢが、ビットマップで示され得るＰＲＢもしくはＰＲＢペアにマップされることが可能であり、そのようなＰＲＢもしくはＰＲＢペアを含むことが可能であり、さらに／またはそのようなＰＲＢもしくはＰＲＢペアによって定義されることが可能である。例えば、ＰＢ−ＡＢＳに対する完全に柔軟性のあるリソース割り当てが実施されることが可能である。ビットマップは、オールモーストブランクＲＢに割り当てられた１または複数のＰＲＢまたはＰＲＢペアを示すことが可能である。ビットマップに関するビットの数は、ＰＢ−ＡＢＳに利用可能な最小のリソースに応じて２×ＮRB(DL)またはＮRB(DL)を含むことが可能である。ＵＥは、ＰＤＣＣＨを介して、ＲＲＣシグナリングを介して、例えば、ブロードキャストチャネルを使用して、またはこれらの組み合わせを介して、ＰＢ−ＡＢＳ領域に対するリソース割り当てを示すビットマップを受信することが可能である。
【００６３】
さらに、実施形態において、ＰＢ−ＡＢＳ領域および／またはオールモーストブランクＲＢは、ビットマップで示され得るリソース割り当ての中のリソースブロックグループ（ＲＢＧ）にマップされることが可能であり、そのようなＲＢＧを含むことが可能であり、さらに／またはそのようなＲＢＧによって定義されることが可能である。例えば、ＲＢＧは、ＰＢ−ＡＢＳ領域に関する最小のリソース粒度であり得る。ビットマップは、いずれのＲＢＧがＰＢ−ＡＢＳ領域として割り当てられるかを示すことが可能である。ビットマップに関するビットの数は、［（ＮRB(DL)／Ｐ）］、つまり、システム帯域幅をＲＧＢのサイズで割ったものであることが可能である。ビットの数を算出するのに使用され得るそのようなシステム帯域幅、およびそれに基づくＲＧＢサイズの例が、以下の表１に示され得る。実施形態において、ＵＥは、ＰＤＣＣＨを介して、ＲＲＣシグナリングを介して、例えば、ブロードキャストチャネルを使用して、またはこれらの組み合わせを介して、ＰＢ−ＡＢＳ領域に対するリソース割り当てを示すビットマップを受信することが可能である。
【００６４】
【表１】
2018011347.tif 000003
【００６５】
さらなる実施形態において、ＰＢ−ＡＢＳ領域に対する割り当て、および／またはＰＢ−ＡＢＳ領域のマッピングが、事前定義されることが可能である。例えば、ＲＢＧのサブセットが、ＰＢ−ＡＢＳ伝送のために使用されることが可能である。このサブセットは、サービングセルのＰＣＩ（物理セルＩＤ、すなわち、Ｎcell,id）で識別されることが可能である。単一のＰＲＢ、またはＰＲＢペアが、所与のセルに関するＰＢ−ＡＢＳのために使用され得る。ＲＢＧのサブセット内で、所与のセルに関するＰＲＢ位置またはＰＲＢペア位置（例えば、ＰＢ−ＡＢＳをマップするのに、または定義するのに使用され得る）が、ＰＣＩで識別され得る。例えば、ＰＲＢ（例えば、ＰＢ−ＡＢＳをマップする、または定義するのに使用され得る）の位置は、Ｎshift＝Ｎcell,id  ｍｏｄ  Ｐと定義され得る。図５は、ＰＣＩに基づくＰＢ−ＡＢＳリソース割り当ての例示的な実施形態を示す。
【００６６】
無線リソース測定（ＲＲＭ）、無線リンク測定（ＲＬＭ）、およびチャネル状態情報（ＣＳＩ）が、例えば、本明細書で説明されるＰＢ−ＡＢＳサブフレーム中に実行され、使用され、さらに／またはもたらされることが可能である。例えば、ＰＢ−ＡＢＳモードにある際、ゼロ電力ＣＳＩ基準信号（ＣＳＩ−ＲＳ）パターンを使用するＵＥが、ＰＢ−ＡＢＳ帯域などの指定された帯域にわたってＲＲＭ／ＲＬＭ／ＣＳＩ測定を実行することが可能であり、さらに／または指定された帯域内、および指定された帯域外で同時のＲＲＭ／ＲＬＭ／ＣＳＩ測定を実行することが可能である。
【００６７】
さらに、ＵＥが、低減された電力のＰＢ−ＡＢＳモードで動作する場合、ＵＥは、そのような計算に電力オフセット値（例えば、前述した）を含めることによって、ＣＳＩ基準信号（ＣＳＩ−ＲＳ）無線リンク測定を実行することが可能である。電力オフセットＰRP-ABSは、測定および／または関係のある閾値に直接に適用され得る。低減された電力のＰＢ−ＡＢＳサブフレームにおいて、リソース要素当たりのＰＤＳＣＨエネルギー（ＥＰＲＥ）が算出されることも可能である。例示的な実施形態によれば、ＥＰＲＥは、対応するＵＥ特有のρBパラメータおよびρAパラメータに電力オフセットＰRP-ABS値を適用することによって算出され得る。ρBパラメータは、セル特有の基準信号（ＣＲＳ）を有するＯＦＤＭシンボルに関するＰＤＳＣＨＥＰＲＥ対ＣＲＳ  ＥＰＲＥの比を示し、さらにρAパラメータは、ＣＲＳを有さないＯＦＤＭシンボルに関するＰＤＳＣＨＥＰＲＥ対ＣＲＳ  ＥＰＲＥの比を示す。
【００６８】
ＣＳＩフィードバックに関して、ネットワークは、ＵＥに２次元パターンを供給することが可能である。すると、ＵＥは、ＰＢ−ＡＢＳパターンに関するＣＳＩをフィードバックするように構成されることが可能である。実施形態において、ＵＥは、複数の帯域および／またはパターン（例えば、ＡＢＳパターンおよび／またはＰＢ−ＡＢＳパターン）を与えられて、フィードバックをもたらすことが可能である。詳細には、各帯域に関して、ＵＥは、ＰＢ−ＡＢＳパターンとＡＢＳパターン（例えば、Ｒ１０  ＡＢＳパターン）の両方に関してフィードバックをもたらすことが可能である。
【００６９】
ＵＥは、一次セル（ＰＣｅｌｌ）、および１または複数の隣接セルに関するＲＲＭ測定リソース制約セットを有してさらに構成されて、オールモーストブランクＲＢ（例えば、「保護されたＲＢ」）にわたるＣＳＩ−ＲＳ測定、保護されていないＲＢにわたるＣＳＩ−ＲＳ測定、および／または帯域全体にわたるＣＳＩ−ＲＳ測定を実行することが可能である。ＲＲＭ測定リソース制約セットは、適切なフィードバックのためのＲＢを示すためのＲＢの２次元表現を含み得る。
【００７０】
例示的な実施形態によれば、オールモーストブランクＲＢ、またはそれらのセットは、マクロセルＵＥとピコセルＵＥもしくはスモールセルＵＥの間で構成され、さらに／またはマップされることが可能である。例えば、ＲＢの明示的なセット、またはその指標などの情報が、マクロセルからピコセルもしくはｅＮＢに送信されて（例えば、Ｘ２インターフェースを介して）、いずれのＲＢがオールモーストブランクＲＢであり得るかを示すことが可能である。実施形態において、オールモーストブランクＲＢパターンのうちの１または複数が、オールモーストブランクＲＢパターンがマクロセルとピコセルの間で構成される（例えば、事前構成される）ことが可能であり、さらに各セルが、その後、それに相応して自らのＵＥを構成することが可能であるように、マクロセルとピコセルの間で事前構成されることも可能である。そのような実施形態において、オールモーストブランクＲＢセットは、ＬＯＡＤ  ＩＮＤＣＡＴＩＯＮメッセージの中のＩＥを介してトリガされ得る。さらに、実施形態において、ピコ（例えば、ピコセルまたはｅＮＢ）が、そのピコが、より多くのオールモーストブランクＲＢを必要とする可能性があるか、より少ないオールモーストブランクＲＢしか必要としない可能性があるかをＵＥに示すことが可能である。ピコは、時間または周波数のいずれかの点でより多くのリソースの必要性、またはより少ないリソースの必要性をさらに示すことが可能である。例えば、ピコは、オールモーストブランクＰＢの時間周期性が十分であると考える可能性があるが、ＡＢＳが適用され得る、もしくは使用され得る、より大きい帯域、またはより小さい帯域を使用する可能性がある。
【００７１】
さらに、実施形態において、ＰＢ−ＡＢＳサブフレームが、サービングセル間で分割され得る。例えば、ＰＢ−ＡＢＳが構成され得る場合、ＵＥは、ＰＢ−ＡＢＳ領域とマクロセル動作のために利用可能な領域が別々のサービングセルに属するかのように動作することが可能である。そのような実施形態において、ＡＢＳの保護された部分と保護されない部分は、ＰＢ−ＡＢＳ領域および／またはマクロセル動作に通信をもたらすのに使用され得る別々のサービングセルとして定義され得る。
【００７２】
ＡＢＳの保護された部分および保護されない部分に含められ得るそのようなサービングセルは、本明細書で説明されるとおり動作させられることが可能である。例えば、実施形態において、ダウンリンク制御チャネル（例えば、ＰＤＣＣＨまたはｅＰＤＣＣＨ）が、ＡＢＳの部分（例えば、保護された、さらに／または保護されていない）のうちの少なくとも１つから送信されることが可能である。ＰＤＣＣＨが送信され得る場合、リソース要素グループ（ＲＥＧ）に対するマッピング（例えば、周波数帯域にわたるＰＢ−ＡＢＳの位置）が、搬送波の部分、またはＲＢのサブセットが、完全な搬送波を構成する、または含むことが可能であるかのように計算され、または特定されることが可能であり、さらにＲＥＧの定義が適用されることが可能である（例えば、マッピングまたは位置を含むＲＥＧの定義が特定されると、その定義が、ＵＥによって、ＰＢ−ＡＢＳに関連する帯域の部分を探し出すのに使用され得る）。したがって、実施形態において、保護された部分および保護されない部分のＰＤＳＣＨは、それらの特定の部分に関連するダウンリンク制御チャネルから割り当てられ得る。そのような実施形態において、クロススケジューリングは使用されない可能性がある（例えば、許されない可能性がある）。さらに、クロススケジューリングは、帯域の部分（例えば、保護された、さらに／または保護されない）の間のそのようなクロススケジューリングが、搬送波指示フィールド（ＣＩＦ）を介して実行され得る場合に使用され得る。各帯域内のＰＲＢには、その帯域の一部であり得るＲＢ（例えば、実施形態においてＲＢだけ）がカウントされ得るように番号が付けられることが可能である。例えば、帯域内で、ＰＲＢに、実施形態において、その帯域の最初のＰＲＢがインデックス０を有することが可能であり、さらに最後のＰＲＢがインデックスＮ−１を有することが可能であり、ただし、Ｎは、その帯域内のＰＲＢの数であり得るように、インデックスが付け直される（または番号が付け直される）ことが可能である。そのような実施形態（例えば、ＬＴＥの場合）において、ＰＲＢインデックス付けスキームが、ダウンリンク制御情報（ＤＣＩ）の中のＰＤＳＣＨ割り当ての一部としてシグナリングされ得る「周波数割り当て」の中で使用されることが可能である。さらに、そのようなインデックス付け直しは、例えば、「クロススケジューリング」割り当てが特定の帯域を示し得る場合、制御シグナリングの中でより小さい周波数割り当てフィールドの使用を潜在的に可能にする、または許すことができる。
【００７３】
両方の部分（例えば、保護されていない、さらに／または保護された）に関してＰＢ−ＡＢＳサブフレーム中に測定され得るＣＳＩ、ＣＳＩ−ＲＳ、ＣＲＳなどを報告するのに、帯域（例えば、ＰＢ−ＡＢＳおよび／またはオールモーストブランクＲＢに関連することが可能な）の各部分に関する周期的ＣＳＩ報告（例えば、ＰＢ−ＡＢＳ中に、またはＰＢ−ＡＢＳ時に測定された）が、ＣＳＩ、ＣＳＩ−ＲＳ、ＣＲＳなどが異なる周期、および異なるオフセットで報告され得る、または送信され得るように使用されることが可能である。さらに、ＰＢ−ＡＢＳ中に測定され得るそのような部分に関する非周期的ＣＳＩ報告が、例えば、ＣＳＩ要求フィールドの値に基づいて、各帯域に関して別々に、または両方の帯域に関してトリガされることが可能である。ＲＲＭ測定が、帯域のそのような部分に関して別々に定義されることも可能である。
【００７４】
前述したとおり、空間領域が（例えば、ＡＢＳの時間領域ＴＤＭ、およびＰＢ−ＡＢＳの周波数領域に加えて）もたらされて、さらに／または使用されて、マクロセルＵＥおよび／またはピコセルＵＥもしくはスモールセルＵＥ、ならびに／またはネットワーク、およびネットワークに関連する干渉調整をサポートするのに使用され得る空間的オールモーストブランクサブフレーム（ＳＡＢＳ）を定義する、さらに／またはもたらすことも可能である。例えば、高密度のスモールセル展開においてセル高密度化がもたらされ、さらに／または使用されることが可能である。そのような実施形態において、セル分割が、活性アレイシステム（ＡＡＳ）によって形成された狭ビームを介して実行されることが可能であり、さらにシグナリングが、動的に、または半静的に構成され得る異なるセル展開に関するビームパラメータを調整するのに使用されることが可能である。ビーム特有のパラメータに基づいて、空間的オールモーストブランクサブフレーム（ＳＡＢＳ）が、干渉調整および／または干渉管理のためのさらなる次元としてもたらされ、さらに／または使用されることが可能である。さらに（例えば、ＡＡＳベースのビーム形成に関連する干渉調整に関して）、調整されたビームブランキング、および関連するＵＥ測定がもたらされ、さらに／または使用されることが可能である。
【００７５】
例えば、前述したとおり、活性アンテナシステム（ＡＡＳ）がもたらされ、さらに／または使用されることが可能である。そのようなＡＳＳは、それに含められた各アンテナ要素に完成したＲＦトランシーバを組み込むことが可能であり、各要素には、デジタルＲＦストリームが供給され得る。実施形態において、いくつかのこれらの要素が、或る形状に配置されてアンテナアレイを形成することが可能である。さらに、アレイにおける各アンテナ要素の位相および／または振幅を独立に制御することによって、それに関連するアンテナビームパターンが電気的にステアリングされることが可能である。例示的な実施形態によれば、ＡＡＳは、多数のアンテナ要素を有するアンテナアレイを形成する大きい形状を有することが可能である。そのような実施形態は、狭放射ビームをもたらし得る。基地局（例えば、３ＧＰＰ基地局）に対するＡＡＳの適用は、ワイヤレスネットワーク（例えば、図１Ａ〜図１Ｅにおいて前述したネットワークなどの）のネットワーク容量およびユーザカバレッジをさらに増大させることが可能である。
【００７６】
さらに、セル高密度化が、例えば、既存のセルを、より狭いビームがＡＡＳによって形成され得るように小さいサブセルに分割することによってもたらされることが可能である。同一のＡＡＳまたは複数のＡＡＳから複数の狭ビームを同時に放出すること、または受け取ることによって、セル内の異なる地理的区域におけるユーザが、同一の周波数リソース内でサービスを受ける、さらに／または供給されることが可能であり、セル分割利得からのネットワーク容量の増大を可能にする。セル高密度化の例示的な実施形態が、垂直に向けられたビーム（例えば、垂直ビーム形成によるセル分割）および水平に向けられたビーム（例えば、水平ビーム形成によるセル分割）がそれぞれ使用され得る、図６および図７に示されることが可能である。図６および図７に示されるとおり、セルが、分離された３つのビーム（例えば、ビーム１、２、３）によって３つのサブセル（例えば、サブセル１、２、および３）に分割され得る。さらに、そのようなセル分割が、送信ビーム形成または受信ビーム形成を介してダウンリンク方向とアップリンク方向の両方で実行されることが可能である。
【００７７】
例示的な実施形態（例えば、第１の適用実施形態）において、ＡＡＳベースのセル分割が、同種のネットワークに適用されることが可能である。既に展開されている既存の基地局サイト内で、各マクロセルが、ＡＡＳの設置でさらに高密度化されて、同時に複数のアンテナビームを円滑にすることが可能である。ＡＡＳ形状によって支配され得るビーム形成をステアリングする向き（例えば、図６および図７に示されるとおり、垂直および／または水平）に依存して、本明細書で開示される（例えば、後段で）サブセルトポロジのうちの１または複数が、そこからもたらされることが可能であり、さらに／または生じることが可能である。
【００７８】
例えば、一様でないセル分割がもたらされることが可能である（例えば、サブセルトポロジに関して）。そのような実施形態において、セルは、垂直ビーム形成から生じた一様でないサブセルトポロジの例示的な実施形態を示す図８に異なるパターン、異なる濃淡、および／または異なる色で示されるとおり、異なる範囲で（例えば、塔からの）スモールサブセルに分割されることが可能である。図８に示されるとおり、これらのビームは、垂直に設置されたＡＡＳによって異なる仰角に向けられることが可能である。これらのビームの高度差（例えば、塔の高さによる）が、各サブセルに関する範囲差となり得る。さらに、作成されたそのようなスモール（ｓｍａｌｌｓ）は、同一のビーム幅を所与として、一様でない可能性があり、そのことに基づいて、サブセルサイズは、塔の高さに基づく異なる範囲および／または異なる角度を有する一様でないセル分割の例示的な実施形態を示す図９に示されるとおり、異なる可能性がある。図９に示されるとおり、実施形態において、セル３が、セル２およびセル１と比べて、同一の塔の高さ、およびそれらに関連する異なる仰角に基づいて、より大きい範囲を有することが可能である。さらに、信号強度（例えば、異なるビーム、および異なるセルに関連する）が、範囲差（例えば、図９に示されるセル１、２、および３の間の範囲差）から生じる様々なパスロスに基づいて、そのような実施形態で等しくない可能性がある。
【００７９】
実施形態によれば、サブセル（例えば、セル１、２、および３の非セル分割に関連する）に関する１または複数のＡＡＳ制御パラメータが異なるように構成されて、各セル内で等しいユーザ体験を伴う類似したサイズのカバレッジを実現することが可能である（例えば、セル１、２、および３などのセルに関して範囲が同様であることを可能にするように）。例えば、より小さい仰角のビーム幅が、より小さい値で設定されることが可能であり、さらにそれに関連するセルの送信電力が、パスロス差を補償するように増強されることが可能である。同種のマクロセル環境において展開されるものの、垂直セル分割（図８および図９に示され、さらに本明細書で説明される）は、同種でないミクロ挙動をもたらすことも可能である。
【００８０】
一様のセル分割がもたらされることも可能である（例えば、サブセルトポロジに関して）。一様のセル分割の実施形態において、ビームステアリングが、水平に設定されたＡＡＳによって方位角で実行され得る場合（例えば、水平ビーム形成によってもたらされる一様なサブセル分割を示す図１０に示されるとおり）、分割され得るサブセルは、一様であることが可能であり、したがって、等しいビーム幅が、それらのサブセルのすべて、またはいくつかに関して同様のスパン区域をもたらすことが可能であり、さらに各サブセルが、同様の範囲特性を有することが可能である。例えば、図１０に示されるとおり、スパン区域（例えば、異なるパターンで示される）は、それらのサブセルおよび／またはセルに関して同様であり得る。しかし、サブセル内の範囲のばらつきは、元のマクロセルと同一の特性を留める、または保つことが可能である。このため、この実施形態において分割されたスモールセルは、サブセル内のユーザ公平性を直接に向上させることはない可能性がある。例示的な実施形態において、そのような水平に分割されたサブセル（例えば、図１０に示される）は、ＡＡＳ（例えば、塔において高くされるべき）を使用しない可能性があり、さらに／または必要としない可能性がある。
【００８１】
高密度のセル分割が、さらにもたらされることが可能である（例えば、サブセルトポロジに関して）。例えば、マクロセルに関する高密度化が、垂直方向と水平方向の両方で傾けられたＡＡＳビームを使用することが可能である（例えば、高密度のセル分割をもたらすように）。両方の方向でアンテナビームをステアリングすることができるように、ＡＡＳが、平面アレイに構成されることが可能である。図１１は、そのような平面アレイを使用することが可能な垂直ビーム形成と水平ビーム形成の両方からの高密度のセル分割の例示的な実施形態を示す。図１１に示されるとおり、マクロセルなどのセルが、４つのサブセル（例えば、異なる４つのパターンで示される）に分割されることが可能である。
【００８２】
さらに、ＵＥ特有のサブセルがもたらされることが可能である（例えば、サブセルトポロジに関して）。ＵＥ特有のサブセルに関する実施形態において、特定のセル分割が全く実行されない、さらに／または使用されないことが可能である。詳細には、仮想サブセルが、サービングＵＥに関連することが可能なＡＡＳビームから形成されることが可能である。この仮想セルは、ＵＥが移動し得るにつれ、ビームのステアリングパラメータを動的に調整することによってＵＥを追跡することが可能である。そのような追跡は、ＵＥがサブセルの中心に位置付けられることを可能にすることができる。ＵＥ特有のサブセルの例示的な実施形態、およびその仮想セル（例えば、ｖ）の追跡が、図１２に示され得る。
【００８３】
さらに、セル内の複数のユーザが、同一の周波数リソース内、および同一の時間リソース内で複数のＵＥ特有のビームによってスケジュールされることが可能である（例えば、彼らが地理的に離隔している可能性がある際、またはそのような場合に）。異なるセットのＵＥが、それらのセル分割（例えば、ＵＥ特有のセル分割）が柔軟であり、さらに動的であり得るように、異なるセル構成を有し得る他の時間リソースにおいてサービスを受けることがさらに可能である。ＵＥ特有のセル分割に関する動的ビームステアリングをサポートするのに、平面アレイＡＡＳ構成（例えば、図１１に示される）、および細かい粒度のビームステアリングが使用されることが可能である。
【００８４】
また、ＡＡＳによるセル高密度化（例えば、ＡＡＳベースのセル高密度化）が、異種のネットワーク（例えば、ピコセル、マイクロセルなどのより小さいセルと、マクロセルなどのより大きいセルをともに有するネットワーク）などのネットワークにおける様々なセル層に適用されることも可能である。詳細には、低電力伝送を用いるＡＡＳデバイスが、マイクロセルまたはピコセルなどの低電力伝送ノードのためのアプリケーションがもたらされ得るように使用されることが可能である。
【００８５】
実施形態において、そのようなＡＡＳベースのセル高密度化は、ＡＡＳベースのセル分割（例えば、ピコセルなどのスモールセルに適用され得る）を使用することが可能である。例えば、現在のスモールセル展開またはピコセル展開において、送信ポイントを囲むセルカバレッジエリアを作成することが可能な全方向性アンテナが使用され得る。ＡＡＳのビームステアリング機構のため、ピコセルなどのスモールセルは、セクタ化された方向を向く複数のＡＡＳデバイスを構成することによって、より小さいセルにセクタ化され得る。図１３は、ピコセルなどのセクタ化されたスモールセルの例示的な実施形態を示す。図１３に示されるとおり、ピコセルが、３つのセクタに分割される（例えば、セクタ化される）ことが可能であり、ただし、３つのＡＡＳデバイス（例えば、ＡＡＳ１、２、および３）が、異なる３つのセクタ方向を範囲に含むように使用され得る。
【００８６】
セル高密度化は、水平ビーム形成または垂直ビーム形成によって各ＡＡＳに関して複数の狭ビームを生成することによって実行され得る（例えば、そのような分割の後に）。例えば、水平に傾いたビームが、異なるビームによってさらに分割された、セクタ化されたピコセルの例示的な実施形態を示す図１４に示されるとおり、サブセルトポロジを生むことが可能である。
【００８７】
実施形態において、スモールセルまたはピコセルが、高い高度で展開されない可能性がある。図８および図９で前述したような垂直ビーム形成は、適用可能でない可能性がある。しかし、都市部の展開に関して、垂直に傾いたビームを使用するセル分割が、高層ビルのために異なる様態で使用され得る。図１５は、垂直に傾いたビームで分割され得る、垂直に分割されたスモールセルまたはピコセルの例示的な実施形態を示す。
【００８８】
例示的な実施形態によれば、ＡＡＳベースのセル分割が、異種のネットワークなどのネットワークにおけるマクロセルとピコセルの両方に同時に適用されることも可能である。ネットワークにおけるマクロセルとピコセルもしくは他のスモールセルに対するそのような適用は、ＡＡＳによって提供されるビーム傾斜制御の柔軟性のため、様々なスモールセルトポロジを生む、またはもたらすことが可能である。さらに、そのような実施形態において、マクロセルの伝送ビームが、ピコセルカバレッジエリアに対する放射を最小限に抑えるように注意深く設計され得る場合、ピコセルが、よく分離されることが可能である。例えば、周囲のサブセルの傾斜角度およびビーム幅を合同で最適化することによって、マクロセルは、スモールセルカバレッジまたはピコセルカバレッジが、その他から分離されたサブセルとして抜き出され得るように分けられることが可能である。ピコサービングエリアを含み得るこのサブセルにサービスを提供するビームは、ピコセルに対するマクロ干渉を回避するようにオフにされる、または動的に制御されることが可能である。また、ピコセルが、マクロセルサービングエリアに対する干渉を低減する、または回避するようにセル分割の際にそのビームを制御することも可能である。
【００８９】
本明細書で説明されるとおり、そのようなスモールセル実施例またはスモールセル実施形態（例えば、３ＧＰＰワイヤレスネットワークにおける）は、干渉、バックホールサポート、ネットワーク管理、および／または容量などの技術的課題に直面する可能性がある。例えば、同一チャネル展開における高密度の隣接セルからの干渉側の数の増加により、異種のネットワークにおけるＳＩＮＲ分布が、マクロネットワークまたは同種のネットワークにおける分布とは異なることが可能であり、そのため、１または複数のＵＥが干渉条件に直面する可能性がある。さらに、異なる地理的区域に展開された（例えば、多数で）スモールセルが、バックホールを介してコアネットワークに効率的に結び付けられる必要がある可能性があり、さらにスモールセルの相互接続が、例えば、干渉調整または干渉軽減のために必要とされる可能性がある。セル間の容量が大きく、待ち時間の短い接続が、協調マルチポイント伝送（ＣｏＭＰ）などの一部の高度な伝送技術のアプリケーションに関して望ましい可能性があるが、そのような実施例または実施形態に関するバックホールは、複雑であり得る。さらに、サービスにおけるセルの数が増加し、トポロジがより複雑になり得るにつれ、ネットワーク設計およびセル計画に関するネットワーク管理が、必要とされる可能性があり、スモールセル動作が、所与の電力予算の下で大きいネットワーク容量をもたらすように調整され、さらに／または協働させられる必要がある可能性がある。
【００９０】
そのような技術的課題を軽減するのに役立つように、前述したとおり、ビーム特有のパラメータを介して実施された空間的オールモーストブランクサブフレーム（ＳＡＢＳ）を用いたリソース分割を含むＳＡＢＳが、もたらされることが可能であり、ただし、そのようなＳＡＢＳは、時間領域、周波数領域、および空間領域を組み合わせることが可能である。さらに、調整されたビームパラメータおよび／またはそれらの制御のシグナリング、ＵＥにおけるサブセル識別のためのビーム特有の基準信号、干渉管理のためのビームブランキングおよび／またはその調整、ならびに／または空白化されたビームリソースにわたるＵＥ測定が、本明細書で説明されるとおり提供されることが可能である。
【００９１】
例えば、ビーム分割されたセル（例えば、本明細書で説明されるとおり、垂直ビーム形成および／または水平ビーム形成を介して）に関するセル特有の基準信号がもたらされることが可能である。セルが、アンテナシステムの様々な放射関連のパラメータに基づいて分割されることが可能であり、そのようなパラメータは、以下、すなわち、仰角（例えば、垂直ビーム形成によって制御されることが可能であり、さらにビームを垂直にステアリングすることが可能であるパラメータ）、方位角（例えば、水平ビーム形成によって制御されることが可能であり、さらにビームを水平にステアリングすることが可能であるベアリングパラメータ）、ビーム幅（例えば、ビームが放出される、または受け取られる角度の範囲に関連するパラメータであり、ただし、そのようなパラメータは、サブセルのカバレッジエリアを定義することが可能である）、偏波（例えば、放射される波の電界の方向に関連するパラメータ）などのうちの１または複数を含み得る。
【００９２】
分割されたセルにおけるサブセルは、例えば、ＰＣＩ（物理セルＩＤ）、基準信号、前述のパラメータなどを含む同一のセットの伝送パラメータに基づいて動作することが可能である。そのような実施形態において、異なるサブセルの間の区別は、放射されたビーム（例えば、放射されたビームの正確な特性）に基づくことが可能である。例えば、各サブセルが、セルＩＤに基づく伝送パラメータの独自のサブセットを使用することが可能である。
【００９３】
さらに、伝送、測定、干渉などを調整するのに使用され得るセル特有の基準信号が、アンテナポート０乃至３などの１または複数のアンテナポートを通って伝送されることが可能である。実施形態において、使用され得る基準信号シーケンス
【００９４】
【数１】
2018011347.tif 000004
【００９５】
が
【００９６】
【数２】
2018011347.tif 000005
【００９７】
によって定義されることが可能であり、ただし、ｎsは、無線フレーム内のスロット番号であることが可能であり、さらにｌは、スロット内のＯＦＤＭシンボル番号であることが可能である。疑似ランダムシーケンスｃ（ｉ）が、出力シーケンスｃ（ｎ）内で長さ３１ゴールドシーケンス（例えば、ｉが、ｎと同値であること、またはｎに関するサブステーション（ｓｕｂｓｔａｔｉｏｎ）であることが可能である）、および長さＭPNによって定義されることが可能であり、ただし、ｎ＝０，１，．．．ＭPN−１であるとともに、
ｃ（ｎ）＝（ｘ1（ｎ＋Ｎｃ）＋ｘ2（ｎ＋Ｎｃ））ｍｏｄ２
ｘ1（ｎ＋３ｌ）＝（ｘ1（ｎ＋３）＋ｘ1（ｎ））ｍｏｄ２
ｘ2（ｎ＋３ｌ）＝（ｘ2（ｎ＋３）＋ｘ2（ｎ＋２）＋ｘ2（ｎ＋１）＋ｘ2（ｎ））ｍｏｄ２
である。
そのような例において、ＮC＝１６００および最初のｍシーケンスが、ｘ1（０）＝１、ｘ1（ｎ）＝０、ｎ＝１，２，．．．，３０で初期設定されることが可能である。２番目のｍシーケンスの初期設定は、ｃinitで表され得る。例えば、そのようなシーケンスを生成するのに、疑似ランダムシーケンスジェネレータが、
【００９８】
【数３】
2018011347.tif 000006
【００９９】
または
【０１００】
【数４】
2018011347.tif 000007
【０１０１】
で、各ＯＦＤＭシンボルの始めに初期設定されることが可能であり、ただし、
【０１０２】
【数５】
2018011347.tif 000008
【０１０３】
であり、Ｎbeamは、アンテナシステムによってもたらされる、放射されるビームの数であり得る。セル特有の周波数シフトは、分割されていないセルの周波数シフトと同一のままであることが可能であり、さらに実施形態において、
【０１０４】
【数６】
2018011347.tif 000009
【０１０５】
または
【０１０６】
【数７】
2018011347.tif 000010
【０１０７】
によって定義される、または算出されることが可能である。
【０１０８】
さらに、ビーム特有の基準信号がもたらされることが可能である。ビーム特有の基準信号は、サブセル識別およびサブセル選択を支援するのに使用され得る。例えば、ＵＥが、各ビームの信号強度（例えば、ＲＳＲＰ）を比較して、サブセル（例えば、最良のサブセル、または比較されるサブセルのうちの最高の強度を有するサブセルを特定することが可能である。セル識別の目的で、ビームごとの基準信号が使用されることが可能であり、さらにそのような基準信号は、関与する周波数帯域、またはそれの少なくとも一部にわたることが可能である。
【０１０９】
ＡＡＳ分割されたスモール（例えば、ピコ）セルに関する干渉制御が、本明細書で説明されるとおり、もたらされることが可能である。例えば、ＵＥが、異なるビームによって分割され得るサブセルの境界近くに位置している可能性がある場合、「ビーム縁端」ユーザが生じることが可能であり、ただし、そのようなユーザは、ビーム漏出、またはビームのサイドローブによって生じる可能性があるより弱い信号、および干渉に悩まされる可能性がある。
【０１１０】
或る実施形態において、干渉制御は、調整されたセル分割によってもたらされることが可能である。そのような調整されたセル分割は、ビーム間干渉を軽減する、または制御することが可能である。本明細書で説明されるとおり、セル分割を制御することが可能なＡＡＳのパラメータは、以下、すなわち、傾斜角度（例えば、仰角および方位角）、ビーム幅、無効化方向、ビーム送信（ＴＸ）電力などのうちの１または複数を含み得る。ＵＥチャネル条件およびネットワークスケジューリング決定に依存して、これらのパラメータは、例えば、ビーム間干渉を最小限に抑えるように、ＵＥスループットを増加させるようになど、複数のサブセルにわたって調整された様態で動的に調整され得る。
【０１１１】
例示的な実施形態によれば、調整されたセル分割は、個々に、または任意の組み合わせで適用され得る１または複数のサブカテゴリを含み得る。例えば、調整されたセル分割は、調整された傾斜制御を含み得る。調整された傾斜制御において、複数のサブセルに関連するビームのステアリング角度は、信号強度を増加させるとともに、ビーム縁端ユーザに対する干渉を低減するように調整された様態で（上方に、下方に、特定の角度でなど）動的に調整されることが可能である。このため（例えば、調整された様態のそのような動的調整を使用して）、セル分割が、複数のビームに関して１つの送信ポイントを使用して実行されて、サブセル（例えば、図１６に示される）が、トラフィック負荷または他の基準に応じてサイズ変更され得るようにすることが可能である。図１６は、調整された傾斜制御の例示的な実施形態を示す。図１６に示されるとおり、サブセル（例えば、サブセル１および２）のビームの仰角は、ビーム縁端ＵＥ（例えば、図示されるＵＥ１およびＵＥ２）に関連するサービスを向上させるように外向きに（例えば、矢印の方向で）調整されることが可能である。
【０１１２】
調整されたセル分割は、調整されたビーム幅制御をさらに含み得る。調整されたビーム幅制御において、各ビームは、それ独自のビーム幅を有して、例えば、関連するサブセルのカバレッジエリアを制御することが可能である。ビーム幅は、例えば、異なる放射ビーム幅をそれぞれが有し得る（例えば、信号を向上させ、さらに／または干渉を軽減するように）能動アンテナサブシステムまたは受動アンテナサブシステムのバンクによって動的に、さらに協調的に調整されることが可能である。図１７は、調整されたビーム幅制御の例示的な実施形態を示す。図１７に示されるとおり、２つのＵＥ（例えば、ＵＥ１およびＵＥ２）が、サブセル（例えば、サブセル１）内で一緒にスケジュールされることが可能であり、さらに１つのＵＥ（例えば、ＵＥ３）が、別のサブセル（例えば、サブセル２）内でスケジュールされることが可能である。各サブセルに関するビーム幅は、図１７に示されるとおり調整されて（例えば、外向きに）、サブセル（例えば、サブセル１）におけるビーム縁端におけるＵＥ（例えば、ＵＥ２）が、調整の後、サブセルのビーム縁端に位置しないようにすることが可能である。調整された帯域幅制御は、セルデータオフロードのために使用されることも可能である。例えば、狭ビームが、さらなるユーザを有する地理的区域内で適用されて、より小さいサブセルが、例えば、セル分割利得を活用するように形成されることが可能である。まばらなユーザを有する他の区域に、より大きい区域を範囲に含むより大きいビーム幅が関連付けられることが可能である。ユーザ分布が１日の間に変化すると、セルトポロジが、ユーザニーズおよび／またはユーザ要求に適合させられることが可能である。
【０１１３】
調整されたセル分割は、調整された無効化位置付けをさらに含み得る。調整された無効化位置付けにおいて、ビームにおける無効化位置（例えば、図１８に示されるとおり、ゼロの伝送を生じることが可能な角度であり得る）が、ＡＡＳの各アンテナ要素の位相および振幅を制御することによって調整可能にされ得る。隣接セルにおけるビーム縁端ＵＥがスケジュールされる可能性がある場合、無効化位置が、そのＵＥの方向に、またはそのＵＥにサービスを提供するサブセルの傾斜方向に向けて協調的に位置付けられて、それらの無効化変更から干渉レベルが低減され得るようにすることが可能である。図１８は、調整された無効化位置付けの例示的な実施形態を示す。図１８に示されるとおり、サブセル１に関して送信された信号が、図示される放射パターンの無効角度に位置している可能性があるＵＥ１（例えば、サブセル２内の）に対して干渉をもたらさない可能性がある。さらに、図１８に示されるとおり、無効化位置は、隣接するＵＥ（例えば、ＵＥ１）に向けて、または中にそのＵＥを有するサブセルに向けて移動されることが可能である。
【０１１４】
別の例示的な実施形態において、調整されたセル分割は、調整された電力制御を含み得る。調整された電力制御において、各サブセルの電力は、動的に、さらに協調的に制御され得る（例えば、各ビームのカバレッジを調整するように電力が増加されること、および／または低減されることが可能である）。例えば、送信電力は、所与のサブセルにおけるトラフィック負荷の予期、サブセル（例えば、ＵＥが関連付けられているのとは異なるサブセル）における干渉のレベルなどの様々な基準に基づいて、サブセルに関して決定され得る。サブセルに関する送信電力を決定する際、サブセルは、自らのサービングＵＥのパフォーマンスを最大化することが可能な電力、隣接サブセル内のＵＥに対する干渉を最小限に抑えることが可能な電力などを選択する、または決定することが可能である。例示的な実施形態において、そのような情報（例えば、パフォーマンスを最大化することが可能な電力、または干渉を最小限に抑えることが可能な電力）が、対応するサブセルｅＮＢに対する信号インタレスト（ｓｉｇｎａｌ  ｉｎｔｅｒｅｓｔ）および信号干渉（例えば、異なるサブセルにおけるＵＥによる）のレベルを測定すること、および／または報告することによって決定され得る。測定は、ＣＲＳ、またはＣＳＩ−ＲＳなどの他の基準信号に基づくことが可能である。
【０１１５】
実施形態において、シグナリングが、そのような調整されたセル分割に関して本明細書で説明されるとおり使用されることが可能である。例えば、複数のセル層が重なり合う可能性がある場合に異種のネットワークにおける調整されたセル分割を円滑にするのに、本明細書の実施形態において説明されるビームパラメータのセットが、マクロセル、およびスモールセルもしくはピコセルの間で交換されることが可能である一方で、同種の展開において、各基地局が、そのビームパラメータを自律的に構成することが可能である。そのような情報（例えば、ビームパラメータ）が、隣接するマクロセルおよび／またはスモールセルもしくはピコセルの間で通信されて、干渉管理（例えば、セル縁端ユーザに関する）を向上させることが可能である。実施形態において、そのような情報交換は、Ｘ２インターフェースを使用して行われることが可能であり、Ｘ２インターフェース上で、１つの基地局によって半静的に構成されたビームパラメータが、それに隣接する基地局に示され得る。
【０１１６】
例えば、ビームパラメータ（例えば、傾斜角度、ビーム幅、無効化方向、ビーム送信電力など）のそれぞれに関して、ビットマップが、本明細書で説明されるとおり定義されることが可能であり（例えば、そのようなパラメータは、ビットマップの中のビットとして与えられ得る）、さらにｅＮＢの間で、Ｘ２インターフェースを介してセルまたはサブセルをもたらしていることが可能である。実施形態において、傾斜角度に関して、指標（例えば、ビットマップの、またはビットマップの中に含められた）の各ビットが、調整された分割のために使用され得る何らかの最小限の値と最大限の値を有する間隔にわたって定義され得る傾斜角度の範囲に対応することが可能である。さらに、ビーム幅指標に関連するビットマップの中のビットは、調整された分割のために使用され得るアンテナ放射パターン上のポイント（例えば、２つのポイント）間の事前定義された角度分離のセットに対応することが可能である。ビーム送信電力の場合、ｅＮＢが近い将来に使用することを意図する最大ビーム送信電力を隣接セルに示すビットマップが定義されることが可能である。隣接セルは、この情報を利用して、それらがサービスを提供するＵＥに対する干渉の影響を制限することができる（例えば、分割を調整する際に）。さらに、それらのパラメータのそれぞれが、時間（例えば、サブフレームのセット）をかけて、または周波数の点で（例えば、１または複数のリソースブロック）構成されることが可能である。そのような機能をサポートするのに、この構成が有効であり得るサブフレームまたはリソースブロック（ＲＢ）のセットに対応するビットマップ（例えば、特別なビットマップ）が、Ｘ２インターフェースを介してシグナリングされることが可能である。同様のインターフェースメッセージが、ＲＲＣプロトコルで与えられて、例えば、サブセル展開についてＵＥがよりよく知るようにすることが可能である。ビーム構成情報は、分けられ、さらに調整され得るセルおよび／またはサブセルのうちの１または複数においてＵＥ受信（例えば、干渉を認識する高性能の受信機を介する）を支援するのに使用されることが可能である。
【０１１７】
実施形態において、本明細書で説明されるネットワークにおける干渉は、リソース分割によってさらに制御されることが可能である。例えば、リソース分割は、ビームブランキングを介してもたらされ、さらに／または実行されることが可能である。ビームブランキングの際、ネットワークリソースが、同一チャネルで展開されるサブセルの間で分割されて、例えば、干渉を制御する、または軽減することが可能である。サブセルのうちの１または複数が、例えば、ビーム縁端で、これらのサービスを受けるＵＥに関して互いに干渉を生じさせ得る場合、スケジューリングリソースが、これらのサブセルの間で時間的に共有されることが可能である。さらに、ビームのうちのいくつか（例えば、１または複数）が、或る時間、意図的に「空白化」されて、その他のサブセルによるサービスを受けるＵＥに対する干渉を低減することが可能である。
【０１１８】
ビームを「空白化」する（例えば、「空白」動作をもたらす）のに、以下のうちの１または複数が実行され得る。例えば、一実施形態において、サブセルの伝送全体、またはＡＡＳビームが、空白期間中、停止されることが可能である。
【０１１９】
さらに、空白期間中、特定のサブセルにサービスを提供するデータチャネルが、ビームにおいて全くスケジュールされないことが可能である。しかし、ネットワーク動作をサポートするのに、制御チャネルのうちのいくつかが、空白期間中に送信されることを許されてもよい。例えば、ＵＥ測定およびＵＥ同期のために設計された、いくつかの制御チャネルの送信が、許されてもよい。そのような制御下のビームは、「オールモーストブランクビーム（ＡＢＢ）」と呼ばれ得る。
【０１２０】
さらなる例示的な実施形態において、ブランク期間中、データチャネルは、ビームにおいてより低い電力で送信されてもよい。同一のビームにおける制御された他のチャネルが、最大電力で送信されることが可能である。そのような構成下のビームは、ゼロでない電力のＡＢＢとさらに呼ばれ得る。このため、実施形態において、制御チャネル、またはそれらのサブセットが、低減された電力で送信されることが可能である。
【０１２１】
ビームブランキングの際、周波数リソースが、サブセルおよび／またはビームの間で共有されることも可能である。例えば、ビームブランキング（例えば、ビームブランキング動作またはビームブランキング方法における）が、１つのセットのサブセルに関して周波数帯域の一部分を使用し、さらに別のセットのサブセルに関して周波数帯域の別の部分を使用することが可能である。周波数リソース分割は、例えば、ＬＴＥベースのワイヤレスネットワークなどのワイヤレスネットワークのために、副搬送波、リソースブロック、またはコンポーネントキャリア（ＣＡ）の点で指定され得る。また、ビームブランキングは、時間的にサブフレームのセットにわたって適用されることも可能である（例えば、時間的にサブフレームのセットにわたって適用されることに制限されることが可能である）。
【０１２２】
例示的な実施形態によれば、ビームブランキングは、例えば、ＡＡＳからのビーム（例えば、１つのビーム）が、それに関連するセル全体にサービスを提供するのに使用され得る場合に、適用されることが可能である。例えば、ＵＥ位置および無線チャネル条件に依存して、ＡＡＳが、サービスを受けるＵＥの空間的特性を探ることが可能であり、さらにこのビームを、例えば、向上した送信、または最適な送信のために、その傾斜角度を制御することによって様々な方向にステアリングすることが可能である。そのような実施形態において、干渉は、空白期間中に特定の空間的方向でＡＡＳビームが送信されることを許さないことによって、制御される、または低減されることが可能である。これを行うことによって、この方向の近くの別のセルによるサービスを受けるセル縁端ＵＥが、干渉から保護され得る。サブフレームに関連した、ＡＡＳ伝送のそのような構成に関する空白期間は、リソース分割が、ＡＡＳの使用から空間的に実現され得る「空間的オールモーストブランクサブフレーム」（ＳＡＢＳ）であり得る。例示的な実施形態によれば、ＳＡＢＳは、方位角または仰角などのＡＡＳパラメータのセットによって指定され得る。
【０１２３】
図１９は、ＳＡＢＳの例示的な実施形態を示す。図１９に示されるとおり、ＳＡＢＡＳが、マクロセルおよびピコセルを有する異種のネットワーク（例えば、ヘットネット１９００）において適用されることが可能である。そのような実施形態において、ピコセルによるサービスを受ける可能性があるセル縁端ＵＥ（例えば、１９０２）が、ＳＡＢＳによって保護されることが可能であり、ＳＡＢＳにわたって、マクロセルは、ＵＥに向かう方向で送信することを許されない（例えば、１９０４を介して）ことが可能である。
【０１２４】
また、ＳＡＢＳは、マルチビームの同種システムにおいて使用されることも可能である。図２０は、例えば、垂直ビーム形成を使用する、マルチビームの同種システムにおけるＳＡＢＳの例示的な実施形態を示し、ただし、他の形態のマルチビームシステムがもたらされてもよい。そのような実施形態（例えば、システム構成）において、各ビーム（例えば、ビーム１、２、および３）が、異なるＡＢＳパターン（例えば、図示されるＡＢＳ１、２、および３）に設定されることが可能である。各ビームに割り当てられたＡＢＳパターンは、互いのサブセットであり得る。チャネルに関する制御情報およびブロードキャスト情報が、利用可能な各ビームによって送信されることも可能である一方で、データチャネル伝送は、所与のビームに関して定義されたＡＢＳパターンに従うことが可能である。さらに、各ビームに関するＡＢＳパターンは、そのビームによる範囲に含まれる各区域のオフロード能力に基づいて独立に定義されることが可能である。
【０１２５】
また、ＵＥ測定が、ビームブランキングのためにもたらされ、さらに／または使用されることも可能である。例えば、通信システム（例えば、ＬＴＥシステム）において、ＵＥによって実行され得る測定のうちのいくつかが、ビームブランキングの導入によって影響を受ける可能性がある。このため、以下のうちの１または複数が実行されて、ビームブランキングと一緒にＵＥ測定をもたらすことが可能である。
【０１２６】
例えば、ＵＥが、ビームブランキングを伴って構成されたリソース上で無線リンク監視（ＲＬＭ）測定を実行することに限定されることが可能である。例えば、ＵＥが、空間的オールモーストブランクサブフレーム（ＳＡＢＳ）で構成されている可能性がある場合、ＵＥは、ダウンリンク無線リンク品質監視動作またはダウンリンク無線リンク品質監視測定をＳＡＢＳ、またはそのサブセットに限定することが可能である。さらに、実施形態において、ＵＥは、より上位の層のシグナリング（例えば、ＳＡＢＳ）を介してＵＥに示されたサブフレームの限られたセットの上で基準信号受信品質（ＲＳＲＱ）測定（例えば、無線リソース管理（ＲＲＭ）手順の一環であり得る）を実行することに限定されることが可能である。そのようなＲＳＲＱ測定制限により、アイドル動作モード中のＵＥによる不要な周波数内セル再選択が回避され得る。ＵＥは、空間的オールモーストブランクサブフレームのサブセットなどの制限されたリソース上でチャネル状態情報（ＣＳＩ）測定を実行することに制限されることが可能である。例えば、ＵＥは、複数のチャネル品質指示（ＣＱＩ）報告をもたらすように構成されることが可能であり、ただし、各ＣＱＩ報告は、異なるビームブランキング構成および／またはビームブランキングパターンに対応することが可能である。ビームブランキングに関するそのような測定の際、ＵＥは、それらの測定に関して同一のＳＡＢＳパターンを使用してもよく、または、例えば、ＵＥが経験している可能性がある干渉の量、および／またはネットワーク負荷に依存して、異なるＳＡＢＳパターンに基づいて様々な測定を実行してもよい。
【０１２７】
また、ビームブランキング調整が、本明細書で説明されるとおりもたらされ、さらに／または使用されることも可能である。例えば、異種のネットワークまたは同種のネットワークのいずれかにおいて、ビームブランキング（例えば、ビームブランキング動作またはビームブランキング方法）が、複数の送信ポイントの複数のビームの間で緊密な協調を必要とする可能性がある（例えば、干渉軽減を助けるのに）。例えば、調整のためのいつ、どのようなタイプの空白が生じるべきかのタイミングインスタンスを指定するビームブランキングパターン、またはブランキングパターンのセットが定義されることが可能である。例えば、以上のことに基づいて、ビームブランキングパターンは、以下のパラメータ、すなわち、ビーム空白がいつ生じるかを示す指示またはパラメータ（例えば、いずれのサブフレームが空白化され得るかを示し得るビットパターン、ビームブランキングが出現するごとの、空白化されたビームの傾斜角度を示す指示またはパラメータ（例えば、ＡＡＳが２Ｄビーム形成を実行することに制限され得る場合、方位角または仰角などの１つの傾斜角度が指定され得る）、ビームブランキングの出現ごとの（例えば、さらにそれがゼロでない電力の動作であり得る場合の）、空白化されたビームの送信電力の指示、ビームブランキングの出現ごとの（例えば、さらにそれがゼロでない電力の動作であり得る場合の）、空白化されたビームのビーム幅が示され得る指示などを備えることが可能である。
【０１２８】
実施形態によれば、ビームブランキングは、ビームブランキングパターンが各周期に関して再使用され得るように、或る長さのビームブランキングパターンに関して周期的に動作させられてもよい。さらに、ビームブランキングパターンは、ＵＥが経験している可能性がある干渉の量、および／またはネットワーク負荷などの基準または或る条件がトリガされ得る際に、不規則に適用されてもよい。各送信ポイントに関するビームブランキングパターンは、一般に異なっていて、協働する送信ポイントの間でそれらのパターンが交換され得る（例えば、交換される必要があり得る）ことも可能である。受信ポイントが、例えば、測定（例えば、正しい測定）のためにブランキングパターンについて通知を受けることも可能である。
【０１２９】
また、ビームブランキングの調整は、静的に、または半静的に実行されることも可能である。この調整が静的に実行され得る場合、ビームブランキングパターンは、初期セル計画時に基地局の間であらかじめ設定されることが可能であり、さらにＵＥが、初期ＲＲＣ構成を介して通知を受けることが可能である。半静的調整が使用され得る場合、ビームブランキングパターンは、時とともに変化し得る。このため、シグナリング手順が、複数のパラメータのビームブランキングパターンを伝送することが可能なネットワークインターフェースを介して使用され、さらに／またはもたらされることが可能である。そのような実施形態において、ブランキング動作の変化は、半静的調整において緩慢であり得る。このため、そのインターフェースからそのメッセージを配信することに関する待ち時間要件は、厳格でなくてもよく、Ｘ２インターフェースが、ビームブランキングパターンを含み得るメッセージを配信するのに使用されることが可能である。調整がフレームごとに行われ得る動的ビームブランキングの場合、周期的ビームブランキングパターンは、使用されない可能性がある。そのような実施形態において、特定のサブフレームを空白化する動的命令は、光ファイバベースのリンク、またはＬ１インターフェース上の直接無線リンク（ｄｉｒｅｃｔ  ｌｉｎｋ  ｏｖｅｒ  ｔｈｅ  ａｉｒ）などの待ち時間の短い高速インターフェースを介して発行され得る。
【０１３０】
ＵＥまたはＷＴＲＵという用語が本明細書で使用され得るものの、そのような用語の使用は、互いに区別なく使用されることが可能であり、このため、区別できない可能性がある。
【０１３１】
特徴および要素が、特定の組み合わせで前段において説明されるものの、各特徴または各要素は、単独で使用されることも、その他の特徴および要素と任意の組み合わせで使用されることも可能であることが当業者には認識されよう。さらに、本明細書で説明される方法は、コンピュータまたはプロセッサによって実行されるようにコンピュータ可読媒体に組み込まれたコンピュータプログラム、ソフトウェア、またはファームウェアとして実装されることが可能である。コンピュータ可読媒体の例には、電子信号（有線接続またはワイヤレス接続を介して伝送される）、およびコンピュータ可読記憶媒体が含まれる。コンピュータ可読記憶媒体の例には、読み取り専用メモリ（ＲＯＭ）、ランダムアクセスメモリ（ＲＡＭ）、レジスタ、キャッシュメモリ、半導体メモリデバイス、内部ハードディスクおよびリムーバブルディスクなどの磁気媒体、光磁気媒体、ならびにＣＤ−ＲＯＭディスク、およびデジタルバーサタイルディスク（ＤＶＤ）などの光媒体が含まれるが、以上には限定されない。ソフトウェアに関連するプロセッサが、ＷＴＲＵ、ＵＥ、端末装置、基地局、ＲＮＣ、または任意のホストコンピュータにおいて使用するための無線周波数トランシーバを実装するのに使用され得る。
【図１Ａ】
2018011347.tif 000011
【図１Ｂ】
2018011347.tif 000012
【図１Ｃ】
2018011347.tif 000013
【図１Ｄ】
2018011347.tif 000014
【図１Ｅ】
2018011347.tif 000015
【図２】
2018011347.tif 000016
【図３】
2018011347.tif 000017
【図４】
2018011347.tif 000018
【図５】
2018011347.tif 000019
【図６】
2018011347.tif 000020
【図７】
2018011347.tif 000021
【図８】
2018011347.tif 000022
【図９】
2018011347.tif 000023
【図１０】
2018011347.tif 000024
【図１１】
2018011347.tif 000025
【図１２】
2018011347.tif 000026
【図１３】
2018011347.tif 000027
【図１４】
2018011347.tif 000028
【図１５】
2018011347.tif 000029
【図１６】
2018011347.tif 000030
【図１７】
2018011347.tif 000031
【図１８】
2018011347.tif 000032
【図１９】
2018011347.tif 000033
【図２０】
2018011347.tif 000034